(57)【要約】【課題】様々なゴミを土のような取扱易い物質に速やかに変化させ、ダイオキシンヤ重金属で汚染された土または灰を効果的に浄化する。【解決手段】前記のゴミ、土または灰を攪拌装置の中で攪拌させながら、ブロアまたはコンプレッサ−から吐き出される二以上の空気の流れを互いに衝突させることによって改質された空気、およびこのように改質された空気を水の流れに混合することによって改質された水、またはポンプから吐き出される二以上の水の流れを互いに衝突させるか、もしくは螺旋状に流れる水の流れを壁面または固形物に衝突させることによって改質された水、から生じた水蒸気のうちから選ばれるいずれかの流れを前記攪拌装置の中に導入して、前記のゴミ、土または灰をこれらの空気または水蒸気に曝す処理方法およびこの処理を遂行するための処理装置。【選択図】図３６
2004049956.tif 000002
【特許請求の範囲】
【請求項１】
密閉された攪拌装置の中で攪拌されているゴミ、灰または土をこの攪拌装置に導入される空気または水蒸気、あるいはこの両者に曝すことによって、これらのゴミ、灰または土を処理する方法であって、
ａ．前記空気が、
１．二以上の空気の流れを互いに衝突させることによって改質された空気、
２．前記のように改質されていない空気、および
３．前記の改質された空気と前記の改質されていない空気とが予め混合された空気のうちから選ばれるいずれか一または二以上の流れとして導入され、
ｂ．前記水蒸気が、
１．二以上の水の流れを互いに衝突させるか、もしくは螺旋状に流れる水の流れを壁面または固形物に衝突させることによって改質された水、または前記改質された空気を水の流れと混合することによって改質された水、から生じた改質された水蒸気、
２．前記のように改質されていない水蒸気、および
３．前記の改質された水蒸気と前記の改質されていない水蒸気とが予め混合された水蒸気のうちから選ばれるいずれか一または二以上の流れとして導入され、ここで
ｃ．前記の改質された空気および前記の改質された水蒸気のいずれもが攪拌装置に導入されない場合には、攪拌装置に導入される空気の一または二以上の流れおよび水蒸気の一または二以上の流れのうちから選ばれるいずれか二以上の流れが攪拌装置内で互いに衝突し合うように、前記いずれか二以上の流れを攪拌装置中に放出し、そして
ｄ．前記ａの空気の流れのうちのいずれか一または二以上が攪拌装置中に放出さ
れる前に予め加熱されていることを特徴とする、前記処理方法。
【請求項２】
前記の改質された空気の流れおよび前記の改質された水蒸気の流れのうちのいずれかの流れが攪拌装置に導入される場合に、攪拌装置に導入されるこれらの流れのうちのいずれか二以上の流れが攪拌装置内で互いに衝突し合うように、前記いずれか二以上の流れを攪拌装置中に放出させる請求項１記載の処理方法。
【請求項３】
前記空気の流れがブロアまたはコンプレッサ−によって形成される、請求項１または２に記載された処理方法。
【請求項４】
前記攪拌装置に導入される空気、水蒸気、およびこの水蒸気に変えられる水のうちのいずれか一または二以上が、この攪拌装置に導入される前のいずれかの段階で予めセラミックスまたは石に接触させられる、請求項１ないし３のいずれかに記載された処理方法。
【請求項５】
前記攪拌装置中で処理されるゴミ、灰または土にバガスが混入される請求項１ないし４のいずれかに記載された処理方法。
【請求項６】
ゴミ、灰または土を処理するための装置であって、この装置が
（１）　密閉される攪拌装置、
（２）　ブロアまたはコンプレッサ−、下記（３）　と（４）　との組合せ、すなわち
（３）　容器状の本体、前記ブロアまたはコンプレッサ−から排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（４）　前記ブロアまたはコンプレッサ−の吐出側から前記空気改質装置へ空気の流れを導く空気導入用導管部分と前記空気改質装置から前記攪拌装置へ空気の流れを導く空気導入用導管部分とからなる空気導入用導管、との組み合せ、および
（５）　前記ブロアまたはコンプレッサ−の吐出側から前記攪拌装置へ直接空気の流れを導く空気導入用導管、
すなわち、前記（３）　と（４）　との組み合せ、および前記（５）　の空気導入用導管のうちのいずれかまたは双方、─ただし、前記（３）　および（４）　と組み合わせられない場合の前記（５）　の空気導入用導管は、前記攪拌装置中に導入される空気の流れを二以上の流れとして前記攪拌装置中に放出させて、その二以上の流れのうちのいずれか二以上の流れが前記の放出後に互いに衝突するように設けられる空気導入用導管であり、─および
（６）　前記空気導入用導管に設けられる、これらの導管を通る空気を加熱するための加熱装置、を具えていることを特徴とする、前記処理装置。
【請求項７】
前記空気導入用導管から攪拌装置中に導入されるいずれか二以上の空気の流れが攪拌装置内で互いに衝突し合うように、前記いずれか一または二以上の空気導入用導管が設けられている、請求項６記載の処理装置。
【請求項８】
ゴミ、灰または土を処理するための装置であって、この装置が
（１）　密閉される攪拌装置、
（２）　ポンプ、
（３）　水蒸気発生装置、
（４）　前記水蒸気発生装置で生じた水蒸気を前記水蒸気発生装置から前記攪拌装置に導入するための水蒸気導入用導管、および下記（５）　と（６）　との組み合せ、すなわち
（５）　容器状の本体、前記ポンプから排出される二以上の水の流れが前記本体の内部で互いに衝突し合うように前記本体に対して設けられている給水口、または前記ポンプから排出される少なくとも一つの水の流れを螺旋状に流して、前記本体の壁面または固形物に衝突させるように配置された給水口、および前記衝突により改質された水の流れを前記本体の外部に排出させるように前記本体に対して設けられている排水口を備えている水改質装置と、
（６）　前記ポンプから排出される水を前記水改質装置に送るための給水用導管部分と前記水改質装置から排出される水を前記水蒸気発生装置に送るための給水用導管部分とからなる給水用導管、との組合せ、
（７）　前記（２）　のポンプから排出される水を前記水蒸気発生装置に直接送るための給水用導管、前記（５）　と（６）　と下記（８）　と（９）　と（１０）との組合せ、すなわち前記（５）　の水改質装置と、前記（６）　の給水用導管と、
（８）　ブロアまたはコンプレッサ−と、
（９）　容器状の本体、前記ブロアまたはコンプレッサ−から排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（１０）前記ブロアまたはコンプレッサ−から排出される空気を前記空気改質装置に供給するための空気供給用導管部分と、前記空気改質装置から排出される改質空気を前記（６）　の給水用導管に供給するための空気供給用導管部分とからなる空気供給用導管、との組合せ、および前記（７）　と（８）　と（９）　と下記（１１）との組み合わせ、すなわち前記（７）　の給水用導管と、前記（８）　のブロアまたはコンプレッサ−と、前記（９）　の空気改質装置と、
（１１）前記ブロアまたはコンプレッサ−から排出される空気を前記空気改質装置に供給するための空気供給用導管部分と、前記空気改質装置から排出される改質空気を前記（７）　の給水用導管に供給するための空気供給用導管部分とからなる空気供給用導管、との組合せ、すなわち、前記（５）　と（６）　との組み合せ、前記（７）　の給水用導管、前記（５）　と（６）　と（８）　と（９）　と（１０）との組合せ、および前記（７）　と（８）　と（９）　と（１１）との組み合わせのうちの少なくとも一つ、─ただし、これらのうち前記（７）　の給水用導管だけが採用される場合には、前記（３）　の水蒸気導入用導管は、前記攪拌装置中に導入される水蒸気の流れを二以上の流れとして前記攪拌装置中に放出させて、その二以上の流れのうちのいずれか二以上の流れが前記の放出後に互
いに衝突するように設けらる水蒸気導入用導管である─、
を具えていることを特徴とする、前記処理装置。
【請求項９】
前記水蒸気導入用導管から攪拌装置中に導入されるいずれか二以上の水蒸気の流れが攪拌装置内で互いに衝突し合うように、前記いずれか一または二以上の水上記導入用導管が設けられている、請求項８記載の処理装置。
【請求項１０】
ゴミ、灰または土を処理するための装置であって、この装置が
（１）　密閉される攪拌装置、
（２）　ブロアまたはコンプレッサ−、
（３）　ポンプ、
（４）　水蒸気発生装置、
（５）　前記水蒸気発生装置で生じた水蒸気を前記水蒸気発生装置から前記攪拌装置に導入するための水蒸気導入用導管、下記（６）　と（７）　との組み合せ、すなわち
（６）　前記ブロアまたはコンプレッサ−の吐出側から前記攪拌装置へ直接空気の流れを導く空気導入用導管と、
（７）　前記（３）　のポンプから排出される水を前記水蒸気発生装置に直接送るための給水用導管、との組合せ、─ただし、この場合、前記（４）　の水蒸気導入用導管および前記（６）　の空気導入用導管は、これらの導管から前記攪拌装置中に導入される二以上の流れが前記攪拌装置中に放出された後、その二以上の流れのうちのいずれか二以上の流れが互いに衝突するように設けられている水蒸気導入用導管であり─、前記（６）　と下記（８）　と（９）　との組み合せ、すなわち前記（６）　の空気導入用導管と、
（８）　容器状の本体、前記ポンプから排出される二以上の水の流れが前記本体の内部で互いに衝突し合うように前記本体に対して設けられている給水口、または前記ポンプから排出される少なくとも一つの水の流れを螺旋状に流して、前記本体の壁面または固形物に衝突させるように配置された給水口、および前記衝突により改質された水の流れを前記本体の外部に排出させるように前記本体に対して設けられている排水口を備えている水改質装置と、
（９）　前記ポンプから排出される水を前記水改質装置に送るための給水用導管部分と前記水改質装置から排出される水を前記水蒸気発生装置に送るための給水用導管部分とからなる給水用導管、との組合せ、前記（７）　と下記（１０）と（１１）との組み合せ、すなわち前記（７）　の給水用導管と、
（１０）容器状の本体、前記ブロアまたはコンプレッサ−から排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（１１）前記ブロアまたはコンプレッサ−の吐出側から前記空気改質装置へ空気の流れを導く空気導入用導管部分と前記空気改質装置から前記攪拌装置へ空気の流れを導く空気導入用導管部分とからなる空気導入用導管、との組合せ、前記（８）　と（９）　と（１０）と（１１）との組み合せ、すなわち前記（８）　の水改質装置と、前記（９）　の給水用導管と、前記（１０）の空気改質装置と、前記（１１）の空気導入用導管、との組合せ、および前記（８）　と、（７）　または（９）　と、（１０）と下記（１２）との組み合せ、すなわち前記（８）　の水改質装置と、前記（９）　の給水用導管と、前記（１０）の空気改質装置と、
（１２）前記ブロアまたはコンプレッサ−から排出される空気を前記空気改質装置に供給するための空気供給用導管部分と、前記空気改質装置から排出される改質空気を前記（５）　の水蒸気導入用導管、前記（７）　の給水用導管または前記（９）　の給水用導管に供給するための空気供給用導管部分とからなる空気供給用導管、との組合せ、すなわち、前記（６）　と（７）　との組合せ、前記（６）　と（８）　と（９）　との組合せ、前記（７）　と（１０）と（１１）との組合せ、前記（８）　と（９）　と（１０）と（１１）との組合せおよび前記（８）　と、（７）　または（９）　と、（１０）と（１２）との組合せのうちの少なくとも一つ、および
（１３）前記空気導入用導管に設けられる、これらの導管を通る空気を加熱するための加熱装置、を具えていることを特徴とする、前記処理装置。
【請求項１１】
前記空気導入用導管または前記水蒸気導入用導管を通って攪拌装置中に導入される空気および水蒸気の二以上の流れのうちのいずれか二以上の流れが攪拌装置内で互いに衝突し合うように、前記空気導入用導管および前記水蒸気導入用導管のうちのいずれか一または二以上が設けられている、請求項１０記載の処理装置。
【請求項１２】
前記水蒸気発生装置がボイラ−である請求項６ないし１１のいずれかに記載の処理装置。
【請求項１３】
前記ブロアまたはコンプレッサ−の吸気側および吐出側、前記ポンプの吸引側および吐出側、前記空気導入用導管、前記給水用導管および前記水蒸気導入用導管のうちのいずれか一または二以上に、空気、水および水蒸気のうちのいずれか一または二以上と接触するセラミックスまたは石が配置されている、請求項６ないし１２のいずれかに記載の処理装置。
【請求項１４】
容器状の本体、ポンプから排出される二以上の水の流れが前記本体の内部で互いに衝突し合うように前記本体に対して設けられている給水口、または前記ポンプから排出される少なくとも一つの水の流れを螺旋状に流して、前記本体の壁面または固形物に衝突させるように配置された給水口、および前記衝突により改質された水の流れを前記本体の外部に排出させるように前記本体に対して設けられている排水口を備えていることを特徴とする水改質装置。
【請求項１５】
前記ポンプの吸引側および吐出側のうちのいずれか一方または双方に水と接触するセラミックスまたは石が配置されている、請求項１４記載の水改質装置。
【発明の詳細な説明】
【０００１】
【発明の属する技術分野】
本発明は、生ゴミ、木材チップ、間伐材、雑草、様々な作物の生の廃棄物、またはこのような作物の処理や加工に伴って生じた廃棄物のようなゴミ、ゴミの焼却によって生じた灰、または環境汚染を引き起こす化学物質等で汚染された土の処理方法に関する。
【０００２】
【従来の技術】
近年では、人口の増加、産業の発達、生活様式の変化または都市や産業地帯への人口の集中などに起因して、生ゴミのようなゴミの発生量は益々増大の一途を辿っており、また、種々の工場、作業場または設備などから排出される例えば、ダイオキシンまたは重金属などの有害物質が地球環境を汚染する問題も年々深刻になってきている。
【０００３】
この生ゴミについては現在、例えば、焼却や埋立等によって処理されており、また、木材チップ、間伐材、雑草、様々な作物の生の廃棄物、またはこのような作物の処理や加工に伴って生じた廃棄物のようなゴミは自然に腐るまで野ざらしで放置したり、そしてダイオキシンや、鉛、カドミウムまたはコバルトのような重金属で汚染された土については、例えば適当な処理材と一緒に固めて、その中にダイオキシンや重金属を封じ込めたり、あるいはこの汚染された土を石灰のような処理材と混ぜ合わせてこれらの汚染物質の濃度を薄める等の処置が採られている。
【０００４】
しかしながら、生ゴミなどを焼却するとダイオキシンが発生する恐れがあり、また土の中に埋め込むことによって生ゴミを処理すると、生ゴミに由来する種々の有害物質が土壌を汚染するという問題があり、また、木材チップ、間伐材、雑草、様々な作物の生の廃棄物、またはこのような作物の処理や加工に伴って生じた廃棄物のようなゴミは、風雨に曝して腐らせるには時間が掛かり過ぎたり、その捨て場に困るという問題があり、そして石灰のような処理材で薄めて捨てるという方法では二次的な災害を引き起こし、また、ダイオキシンや重金属などの有害物質を封じ込めるというやり方では、その有害物質は一時的には周囲への溶出が防止されても、この有害物質は依然として残るので、封じ込めるという方法は根本的な解決にはならないという問題があった。
【０００５】
【発明が解決しようとする課題】
それで、上記のような不都合を起こさずに、生ゴミのようなゴミを能率良く、かつ効果的に処理する方法およびダイオキシンまたは重金属などの有害物質が濃縮されている灰、またはこのような有害物質で汚染された土を簡単に、かつ効果的に浄化する処理方法の開発が望まれていた。
【０００６】
【課題を解決するための手段】
本発明者は、前述のような従来技術の状況に鑑みて種々研究を重ねた結果、
密閉された攪拌装置の中で、例えば、切り落とした魚の頭や蟹の甲羅などの生ゴミのようなゴミまたはダイオキシンや重金属などの有害物質を高濃度で含む灰、またはこのような有害物質で汚染された土を攪拌しながら、この攪拌装置中に加熱された空気または水蒸気、あるいは加熱されているかまたは加熱されていない空気と水蒸気とを導入して、この空気または水蒸気あるいはこの両者に前記のゴミ、灰または土を曝すことによって、これらのゴミ、灰または土を処理する場合に、
（１）　前記空気として、例えばブロアまたはコンプレッサ−のような装置によって形成される二以上の空気の流れを互いに衝突させることによって改質された空
気を使用するか、または
（２）　前記水蒸気として、二以上の水の流れを互いに衝突させるか、もしくは螺旋状に流れる水の流れを壁面または固形物に衝突させることによって改質された水、または前記改質された空気と混合することによって改質された水から生じ
た水蒸気を使用するか、または
（３）　前記のように改質されていない空気および水蒸気の流れのうちから選ばれるいずれか二以上の流れが攪拌装置内で互いに衝突し合うように、前記いずれか
二以上の流れを攪拌装置中に導入すると、
前述のような生ゴミは、驚くほど速やかに、臭気が著しく軽減された取扱易い土または肥料のような物質に変化し、また、ダイオキシンや重金属などの有害物質を高濃度で含む灰や、この有害物質で汚染された土では、短時間のうちに灰や土からこれらの有害物質が驚くほど徹底して除去されること、
を見出した。
【０００７】
本発明は、このような知見に基づいて発明されたもので、
１．密閉された攪拌装置の中で攪拌されているゴミ、灰または土をこの攪拌装置に導入される空気または水蒸気、あるいはこの両者に曝すことによって、これらのゴミ、灰または土を処理する方法であって、
ａ．前記空気が、
１．二以上の空気の流れを互いに衝突させることによって改質された空気、
２．前記のように改質されていない空気、および
３．前記の改質された空気と前記の改質されていない空気とが予め混合された空気のうちから選ばれるいずれか一または二以上の流れとして導入され、
ｂ．前記水蒸気が、
１．二以上の水の流れを互いに衝突させるか、もしくは螺旋状に流れる水の流れを壁面または固形物に衝突させることによって改質された水、または前記改質された空気を水の流れと混合することによって改質された水、から生じた改質された水蒸気、
２．前記のように改質されていない水蒸気、および
３．前記の改質された水蒸気と前記の改質されていない水蒸気とが予め混合された水蒸気のうちから選ばれるいずれか一または二以上の流れとして導入され、ここで
ｃ．前記の改質された空気および前記の改質された水蒸気のいずれもが攪拌装置に導入されない場合には、攪拌装置に導入される空気の一または二以上の流れおよび水蒸気の一または二以上の流れのうちから選ばれるいずれか二以上の流れが攪拌装置内で互いに衝突し合うように、前記いずれか二以上の流れを攪拌装置中に放出し、そして
ｄ．前記ａの空気の流れのうちのいずれか一または二以上が攪拌装置中に放出される前に予め加熱されている
ことを特徴とする、前記処理方法、
２．ゴミ、灰または土を処理するための装置であって、この装置が
（１）　密閉される攪拌装置、
（２）　ブロアまたはコンプレッサ−、下記（３）　と（４）　との組合せ、すなわち
（３）　容器状の本体、前記ブロアまたはコンプレッサ−から排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（４）　前記ブロアまたはコンプレッサ−の吐出側から前記空気改質装置へ空気の流れを導く空気導入用導管部分と前記空気改質装置から前記攪拌装置へ空気の流れを導く空気導入用導管部分とからなる空気導入用導管、との組み合せ、および
（５）　前記ブロアまたはコンプレッサ−の吐出側から前記攪拌装置へ直接空気の流れを導く空気導入用導管、すなわち、前記（３）　と（４）　との組み合せ、および前記（５）　の空気導入用導管のうちのいずれかまたは双方、─ただし、前記（３）　および（４）　と組み合わせられない場合の前記（５）　の空気導入用導管は、前記攪拌装置中に導入される空気の流れを二以上の流れとして前記攪拌装置中に放出させて、その二以上の流れのうちのいずれか二以上の流れが前記の放出後に互いに衝突するよう
に設けられる空気導入用導管であり、─および
（６）　前記空気導入用導管に設けられる、これらの導管を通る空気を加熱するための加熱装置、を具えていることを特徴とする、前記処理装置、
３．ゴミ、灰または土を処理するための装置であって、この装置が
（１）　密閉される攪拌装置、
（２）　ポンプ、
（３）　水蒸気発生装置、
（４）　前記水蒸気発生装置で生じた水蒸気を前記水蒸気発生装置から前記攪拌装
置に導入するための水蒸気導入用導管、および
下記（５）　と（６）　との組み合せ、すなわち
（５）　容器状の本体、前記ポンプから排出される二以上の水の流れが前記本体の内部で互いに衝突し合うように前記本体に対して設けられている給水口、または前記ポンプから排出される少なくとも一つの水の流れを螺旋状に流して前記本体の壁面または固形物に衝突させるように配置された給水口、および前記衝突により改質された水の流れを前記本体の外部に排出させるように前記本体に対して設けられている排水口を備えている水改質装置と、
（６）　前記ポンプから排出される水を前記水改質装置に送るための給水用導管部分と前記水改質装置から排出される水を前記水蒸気発生装置に送るための給水用導管部分とからなる給水用導管、との組合せ、
（７）　前記（２）　のポンプから排出される水を前記水蒸気発生装置に直接送るための給水用導管、前記（５）　と（６）　と下記（８）　と（９）　と（１０）との組合せ、すなわち前記（５）　の水改質装置と、前記（６）　の給水用導管と、
（８）　ブロアまたはコンプレッサ−と、
（９）　容器状の本体、前記ブロアまたはコンプレッサ−から排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（１０）前記ブロアまたはコンプレッサ−から排出される空気を前記空気改質装置に供給するための空気供給用導管部分と、前記空気改質装置から排出される改質空気を前記（６）　の給水用導管に供給するための空気供給用導管部分とからなる空気供給用導管、との組合せ、および前記（７）　と（８）　と（９）　と下記（１１）との組み合わせ、すなわち前記（７）　の給水用導管と、前記（８）　のブロアまたはコンプレッサ−と、前記（９）　の空気改質装置と、
（１１）前記ブロアまたはコンプレッサ−から排出される空気を前記空気改質装置に供給するための空気供給用導管部分と、前記空気改質装置から排出される改質空気を前記（７）　の給水用導管に供給するための空気供給用導管部分とからなる空気供給用導管、との組合せ、すなわち、前記（５）　と（６）　との組み合せ、前記（７）　の給水用導管、前記（５）　と（６）　と（８）　と（９）　と（１０）との組合せ、および前記（７）　と（８）　と（９）　と（１１）との組み合わせのうちの少なくとも一つ、─ただし、これらのうち前記（７）　の給水用導管だけが採用される場合には、前記（３）　の水蒸気導入用導管は、前記攪拌装置中に導入される水蒸気の流れを二以上の流れとして前記攪拌装置中に放出させて、その二以上の流れのうちのいずれか二以上の流れが前記の放出後に互いに衝突するように設けらる水蒸気導入用導管である─、を具えていることを特徴とする、前記処理装置、
４．ゴミ、灰または土を処理するための装置であって、この装置が
（１）　密閉される攪拌装置、
（２）　ブロアまたはコンプレッサ−、
（３）　ポンプ、
（４）　水蒸気発生装置、
（５）　前記水蒸気発生装置で生じた水蒸気を前記水蒸気発生装置から前記攪拌装置に導入するための水蒸気導入用導管、下記（６）　と（７）　との組み合せ、すなわち
（６）　前記ブロアまたはコンプレッサ−の吐出側から前記攪拌装置へ直接空気の流れを導く空気導入用導管と、
（７）　前記（３）　のポンプから排出される水を前記水蒸気発生装置に直接送るための給水用導管、との組合せ、─ただし、この場合、前記（４）　の水蒸気導入用導管および前記（６）　の空気導入用導管は、これらの導管から前記攪拌装置中に導入される二以上の流れが前記攪拌装置中に放出された後、その二以上の流れのうちのいずれか二以上の流れが互いに衝突するように設けられている水蒸気導入用導管であり─、前記（６）　と下記（８）　と（９）　との組み合せ、すなわち前記（６）　の空気導入用導管と、
（８）　容器状の本体、前記ポンプから排出される二以上の水の流れが前記本体の内部で互いに衝突し合うように前記本体に対して設けられている給水口、または前記ポンプから排出される少なくとも一つの水の流れを螺旋状に流して前記本体の壁面または固形物に衝突させるように配置された給水口、および前記衝突により改質された水の流れを前記本体の外部に排出させるように前記本体に対して設けられている排水口を備えている水改質装置と、
（９）　前記ポンプから排出される水を前記水改質装置に送るための給水用導管部分と前記水改質装置から排出される水を前記水蒸気発生装置に送るための給水用導管部分とからなる給水用導管、との組合せ、前記（７）　と下記（１０）と（１１）との組み合せ、すなわち前記（７）　の給水用導管と、
（１０）容器状の本体、前記ブロアまたはコンプレッサ−から排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（１１）前記ブロアまたはコンプレッサ−の吐出側から前記空気改質装置へ空気の流れを導く空気導入用導管部分と前記空気改質装置から前記攪拌装置へ空気の流れを導く空気導入用導管部分とからなる空気導入用導管、との組合せ、前記（８）　と（９）　と（１０）と（１１）との組み合せ、すなわち前記（８）　の水改質装置と、前記（７）　または（９）　の給水用導管と、前記（１０）の空気改質装置と、前記（１１）の空気導入用導管、との組合せ、および前記（８）　と、（７）　または（９）　と、（１０）と下記（１２）との組み合せ、すなわち前記（８）　の水改質装置と、前記（９）　の給水用導管と、前記（１０）の空気改質装置と、
（１２）前記ブロアまたはコンプレッサ−から排出される空気を前記空気改質装置に供給するための空気供給用導管部分と、前記空気改質装置から排出される改質空気を前記（５）　の水蒸気導入用導管、前記（７）　の給水用導管または前記（９）　の給水用導管に供給するための空気供給用導管部分とからなる空気供給用導管、との組合せ、すなわち、前記（６）　と（７）　との組合せ、前記（６）　と（８）　と（９）　との組合せ、前記（７）　と（１０）と（１１）との組合せ、前記（８）　と（９）　と（１０）と（１１）との組合せおよび前記（８）　と、（７）　または（９）　と、（１０）と（１２）との組合せのうちの少なくとも一つ、および
（１３）前記空気導入用導管に設けられる、これらの導管を通る空気を加熱するための加熱装置、を具えていることを特徴とする、前記処理装置、および
５．容器状の本体、ポンプから排出される二以上の水の流れが前記本体の内部で互いに衝突し合うように前記本体に対して設けられている給水口、または前記ポンプから排出される少なくとも一つの水の流れを螺旋状に流して、前記本体の壁面または固形物に衝突させるように配置された給水口、および前記衝突により改質された水の流れを前記本体の外部に排出させるように前記本体に対して設けられている排水口を備えていることを特徴とする水改質装置、に係わるものである。
【０００８】
【発明の実施の形態】
本発明において処理の対象となるゴミには、例えば、生ゴミ、木材チップ、間伐材、農業、園芸、畜産または土木工事などで廃棄物として生ずる様々な作物、栽培植物、排泄物、植物もしくは動物に由来する材料またはこれらのものの処理または加工に伴って生じた様々な廃棄物および雑草のような、廃棄される様々なものが包含される。
【０００９】
本発明において処理の対象となる灰には、例えば、上記のようなゴミ等の可燃性物質を燃やすことによって生ずる様々な灰が包含され、そして本発明において処理の対象となる土には、例えば、ダイオキシン、鉛、カドミウム、コバルト、水銀のような重金属または農薬のような合成された毒物または廃油のような、有害物質で汚染された土が包含される。
【００１０】
本発明方法において用いられる装置、すなわち前記２ないし４に記載された処理装置（請求項６、８および１０の処理装置）は、一つの攪拌装置に対して少なくとも一以上のブロアまたはコンプレッサ−、ポンプ、空気改質装置、水改質装置、水蒸気発生装置、空気導入用導管、給水用導管および水蒸気導入用導管等のうちのいずれかが様々に組み合わされて構成される装置である。
【００１１】
これらの装置のうち、前記のようなゴミ、灰または土のような被処理物を空気に曝して処理するものとしては、例えば、図１、図２、図３および図４のブロック図にそれぞれ示されるような装置Ａ１、Ａ２、Ａ３またはＡ４があって、これらは請求項６に記載された処理装置に属している。
【００１２】
図１に示される装置Ａ１は、本発明方法において改質された空気が用いられる装置であって、この装置Ａ１においては、ブロアまたはコンプレッサ−２から吐き出される空気は空気導入用導管４の一部である空気導入用導管部分４ａを通って空気改質装置３の中に導入され、そしてこの空気改質装置３によって改質された空気は空気導入用導管４の他の一部である空気導入用導管部分４ｂを通って攪拌装置１の中に導入される。
【００１３】
図２に示される装置Ａ２は、本発明方法において改質されていない空気が用いられる装置であって、この装置Ａ２においては、ブロアまたはコンプレッサ−２から吐き出される空気は空気改質装置を介さないで空気導入用導管４’を通って直接攪拌装置１の中に導入される。
【００１４】
図３に示される装置Ａ３は、改質された空気と改質されていない空気とが予め混合された空気が用いられる装置であって、この装置Ａ３においては、ブロアまたはコンプレッサ−２から吐き出される空気の一部は空気導入用導管４の一部である空気導入用導管部分４ａを通って空気改質装置３の中に導入され、そしてこの空気改質装置３によって改質された空気は空気導入用導管４の一部である空気導入用導管部分４ｂを通って攪拌装置１の中に導入される。一方、前記ブロアまたはコンプレッサ−２から吐き出される空気の他の一部は空気改質装置を介さないで空気導入用導管４’を通って前記の空気導入用導管部分４ｂの中に導入されることによって、この改質されていない空気は改質された空気と混合された後、攪拌装置１の中に導入される。
【００１５】
図４に示される装置Ａ４は、改質された空気と改質されていない空気とが別々に攪拌装置へ導入される装置であって、この装置Ａ４においては、ブロアまたはコンプレッサ−２から吐き出される空気の一部は空気導入用導管４の一部である空気導入用導管部分４ａを通って空気改質装置３の中に導入され、そしてこの空気改質装置３によって改質された空気は空気導入用導管４の一部である空気導入用導管部分４ｂを通って攪拌装置１の中に導入される。一方、前記ブロアまたはコンプレッサ−２から吐き出される空気の他の一部は空気改質装置３を介さないで空気導入用導管４’を通って、改質された前記の空気とは別個に攪拌装置１の中に直接導入される。
【００１６】
図３および図４に示されるように、別々の空気導入用導管４および４’を通して空気を送る場合には、これらの導管４および４’に対してそれぞれ別個のブロアまたはコンプレッサ−を接続させてもよい。
【００１７】
被処理物が水蒸気に曝される場合には、例えば図５、図６、図７、図８および図９のブロック図にそれぞれ示されるような装置Ａ５、Ａ６、Ａ７、Ａ８またはＡ９が用いられ、これらの装置は請求項８に記載された処理装置に属している。
【００１８】
図５に示される装置Ａ５は、本発明方法において改質された水蒸気が用いられる装置であって、この装置Ａ５においては、ポンプ５から吐出される水は給水用導管６の一部である給水用導管部分６ａを通って水改質装置７の中に導入され、そしてこの水改質装置７によって改質された水は給水用導管６の一部である給水用導管部分６ｂを通って、ボイラ−のような水蒸気発生装置８に供給される。水蒸気発生装置８で生じた改質水蒸気は水蒸気導入用導管９を通って攪拌装置１の中に導入される。
【００１９】
図６に示される装置Ａ６も、改質された水蒸気が用いられる装置であって、この装置Ａ６においては、ブロアまたはコンプレッサ−２から吐き出される空気は空気導入用導管４の一部である空気導入用導管部分４ａを通って空気改質装置３の中に導入され、そしてこの空気改質装置３によって改質された空気は空気導入用導管４の一部である空気導入用導管部分４ｂを通って、ポンプ５から吐き出される水を水蒸気発生装置８に供給するための給水用導管６の中に導入される。
【００２０】
上記の改質された空気と混合することによって改質された水は、給水用導管６から水蒸気発生装置８に供給され、それによって生じた改質水蒸気は水蒸気導入用導管９を通って攪拌装置１の中に導入される。
【００２１】
なお、この処理装置Ａ６においては、前記の改質された空気は給水用導管６を通る水を改質した後、水蒸気発生装置８を経て、前記の水蒸気と共に攪拌装置１の中に流入する。
【００２２】
図７に示される装置Ａ７もまた改質された水蒸気が用いられる装置であって、この装置Ａ７においては、ブロアまたはコンプレッサ−２から吐き出される空気は空気導入用導管４の一部である空気導入用導管部分４ａを通って空気改質装置３の中に導入される。一方、ポンプ５から吐き出される水は給水用導管６の一部である給水用導管部分６ａを通って水改質装置７の中に導入され、そしてこの水改質装置７によって改質された水は、給水用導管６の一部である給水用導管部分６ｂを通って水蒸気発生装置８に供給された後、改質された水蒸気となって水蒸気導入用導管９に排出される。上記の空気改質装置３の中に導入されることによって改質された空気が空気導入用導管４の一部である空気導入用導管部分４ｂを通って、上記の水蒸気導入用導管９内を通る水蒸気に混合されることによって一層改質された水蒸気は水蒸気導入用導管９を経て攪拌装置１の中に導入される。
【００２３】
図８に示される装置Ａ８は、改質されていない水蒸気が用いられる装置であって、この装置Ａ８においては、ポンプ５から吐き出される水は水改質装置を介さないで給水用導管６により直接水蒸気発生装置８に供給され、ここで発生した改質水蒸気は水蒸気導入用導管９を通って攪拌装置１の中に導入される。
【００２４】
図９に示される装置Ａ９は、改質された水蒸気と改質されていない水蒸気とが予め混合された水蒸気が用いられる装置であって、この装置Ａ９においては、ポンプ５から吐き出される水は給水用導管６の一部である給水用導管部分６ａを通って水改質装置７の中に導入され、そしてこの水改質装置７によって改質された水は給水用導管６の一部である給水用導管部分６ｂを通って水蒸気発生装置８に供給された後、水蒸気発生装置８で生じた改質水蒸気は水蒸気導入用導管９の中に排出される。
【００２５】
一方、ポンプ５’から吐出される水は水改質装置を介さないで給水用導管６’により直接水蒸気発生装置８’に供給され、ここで発生した改質水蒸気は水蒸気導入用導管９’の中に排出された後、水蒸気導入用導管９を通って供給される前記の改質された水蒸気と混合されて攪拌装置１の中に導入される。
【００２６】
攪拌装置にそれぞれ別々に導入される空気と水蒸気の両方に被処理物が曝される場合には、例えば、図１０、図１１および図１２のブロック図にそれぞれ示されるような装置Ａ１０、Ａ１１またはＡ１２が用いられ、これらの装置は請求項１０に記載された処理装置に属している。
【００２７】
図１０に示される装置Ａ１０は、改質された空気と改質されていない水蒸気とが別々に攪拌装置に導入される装置であって、この装置Ａ１０においては、ブロアまたはコンプレッサ−２から吐き出される空気は空気導入用導管４の一部である空気導入用導管部分４ａを通って空気改質装置３の中に導入され、そしてこの空気改質装置３によって改質された空気は空気導入用導管４の一部である空気導入用導管部分４ｂを通って攪拌装置１の中に導入される。
【００２８】
一方、ポンプ５から吐き出される水は水改質装置を介さないで給水用導管６により直接水蒸気発生装置８に供給され、ここで発生した水蒸気は水蒸気導入用導管９を通って攪拌装置１の中に導入される。
【００２９】
図１１に示される装置Ａ１１は、改質されていない空気と改質された水蒸気とが別々に攪拌装置に導入される装置であって、この装置Ａ１１においては、ブロアまたはコンプレッサ−２から吐き出される空気は空気改質装置を介さないで空気導入用導管４’を通って直接攪拌装置１の中に導入される。
【００３０】
一方、ポンプ５から吐き出される水は給水用導管６の一部である給水用導管部分６ａを通って水改質装置７の中に導入され、そしてこの水改質装置７によって改質された水は給水用導管６の一部である給水用導管部分６ｂを通って水蒸気発生装置８に供給され、そしてこの水蒸気発生装置８で生じた改質水蒸気は水蒸気導入用導管９を通って攪拌装置１の中に導入される。
【００３１】
図１２に示される装置Ａ１２は、それぞれ改質された空気と水蒸気とが別々に攪拌装置に導入される装置であって、この装置Ａ１２においては、ブロアまたはコンプレッサ−２から吐き出される空気は空気導入用導管４の一部である空気導入用導管部分４ａを通って空気改質装置３の中に導入され、そしてこの空気改質装置３によって改質された空気は空気導入用導管４の一部である空気導入用導管部分４ｂを通って攪拌装置１の中に導入される。
【００３２】
一方、ポンプ５から吐き出される水は給水用導管６の一部である給水用導管部分６ａを通って水改質装置７の中に導入され、そしてこの水改質装置７によって改質された水は給水用導管６の一部である給水用導管部分６ｂを通って水蒸気発生装置８に供給された後、この水蒸気発生装置８で生じた改質水蒸気は水蒸気導入用導管９を通って攪拌装置１の中に導入される。
【００３３】
以上の装置Ａ１〜Ａ４およびＡ１０〜Ａ１２における空気導入用導管には、その中を通る空気を加熱するための加熱装置が設けられ、そしてＡ６およびＡ７のような、水蒸気も用いられる装置においては、それらの装置の空気導入用導管にこの加熱装置を設けても、あるいは設けなくてもよい。
【００３４】
本発明は、空気の流れ、水の流れおよび水蒸気の流れのうちのいずれか二以上の流れを互いに衝突させ、その結果生じた空気、水または水蒸気の改質された流れ、あるいは改質された空気と水蒸気との流れを前記の処理に利用するところに重要な特徴を有する。したがって、前記の装置Ａ１およびＡ８におけるように、それぞれ改質されていない空気または改質されていない水蒸気が使用されて、改質された空気および水蒸気のいずれも使用されない場合には、これらの改質されていない空気の流れ、および改質されていない水蒸気の流れが攪拌装置中に放出された時、これらの流れのうちのいずれか二以上の流れがそれぞれ互いに衝突し合うように、前記の空気導入用導管４’および給水用導管６が設けられる。
【００３５】
また、空気と水蒸気の両方が使用される前記の装置Ａ１０ないしＡ１２では、改質された空気または水蒸気が使用されているが、この改質された空気および水蒸気のいずれも使用されないで、空気と水蒸気の両方が使用される場合には、上記と同様に、空気および水蒸気の流れのうちのいずれか二以上の流れが互いに衝突し合うような空気導入用導管および／または水蒸気導入用導管が設けられる。
【００３６】
以上のように互いに衝突し合うような二以上の流れを生じさせるためには、例えば、後述の空気改質装置１３および１３’、図１５ないし２１における空気導入用導管部分、図２２、２３および２５の水改質装置７、７１および７３に示されるような導管部分の形状または組合せを採用することができる。
【００３７】
改質された空気および水蒸気のうちの少なくともいずれか一方が使用される場合にも、攪拌装置内で以上のように互いに衝突し合う二以上の流れを攪拌装置内で形成させてもよく、それによって攪拌装置内の雰囲気は一層活性化されて本発明による処理の効果が向上する。
【００３８】
以上に説明した装置Ａ１ないしＡ１２は、本発明による処理装置のうちの若干の例を示しているに過ぎず、請求項６、８および１０に記載されている処理装置は、ブロアまたはコンプレッサ−、ポンプ、空気改質装置、水改質装置、空気導入用導管、給水用導管、水蒸気導入用導管および攪拌装置のうちのいずれかの必要な要素をそれぞれ少なくとも１以上適宜に組み合わせることに構成されるあらゆる装置を包含している。
【００３９】
本発明で用いられる改質された空気は二以上の空気の流れを互いに衝突させることによって製造され、そのためには前記の空気改質装置が使用される。
【００４０】
この空気改質装置は、容器状の本体、ブロアまたはコンプレッサ−から排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を具えている。
【００４１】
このような空気改質装置は本出願人によって先に特許出願された特願２００１−３５９８０６号による空気または水の浄化装置で使われる混合容器に相当していて、この空気改質装置の一例は図１３の縦断側面図で示される。
【００４２】
図１３に示される空気改質装置１３においては、円筒の容器状本体１３ａにブロアまたはコンプレッサ−から排出される空気を二つの流れとしてそれぞれ導入するための空気導入用導管１４ａおよび１４ｂが容器状本体１３ａの底部近くに設けられている。
【００４３】
空気導入用導管１４ａおよび１４ｂを通って、これらの空気供給口１４ａ１　および１４ｂ１　からそれぞれ本体１３ａ内に空気が放出されるとき、これらの空気の流れが或る角度をなして互いに衝突し合うように、これらの空気供給口１６ａ１　および１６ｂ１　が位置している。
【００４４】
本体１３ａ内で衝突し合うことによって改質された空気は本体１３ａの頂部に設けられている排気口１３ｂを経て本体１３ａの外へ排出される。
【００４５】
図１４は空気改質装置の別の一例を示す縦断側面図であって、この空気改質装置も前記特願２００１−３５９８０６号による空気または水の浄化装置で使われる混合容器に相当している。
【００４６】
図１４に示される空気改質装置１３’においては、水Ｗが水面のＷ１の高さまで入れられていて、この水Ｗの中には上部の水平断面積が下部の水平断面積よりも小さく、そしてその上下が開放されている筒１３’ｂの上端１３’ｂ１　が水面Ｗ１の上に出て、その下端１３’ｂ２　が改質装置１３’の容器状本体１３’ａの底１３’ａ１　の上に置かれるように、この筒１３’ｂが収められている。
【００４７】
筒１３’ｂの下部には、相対する位置に一対のア─チ状の切り欠き１３’ｂ３　および１３’ｂ４　が形成されている。この切り欠き１３’ｂ３　および１３’ｂ４　には、空気導入用導管１４’の分岐した導管部分１４’ａおよび１４’ｂの先端がそれぞれ挿入されて、これらの導管部分１４’ａおよび１４’ｂのそれぞれの先端に形成されている空気供給口１４’ａｘと１４’ｂｙとは、これらの供給口から放出される空気の流れが或る角度をもって互いに衝突し合うように配置されている。
【００４８】
このような空気改質装置１３’の中に導管部分１４’ａおよび１４’ｂを通して空気が流されると、これらの２つの空気の流れは、それぞれ空気供給口１４’ａｘおよび１４’ｂｙを出て水中で衝突し合って混合された後、激しく気泡を生じながら水を上へと押し上げて、その水を筒１３’ｂの中からその上端１３’ｂ１　を越えて溢れ出させ、それと共に上端１３’ｂ１　から出た混合空気、すなわち改質された空気は、本体１３’ａの頂部に設けられている排気口１３’ｃから外部に排出される。
【００４９】
改質装置１３’の中に収められている水は、その中を通る空気を浄化するための水フィルタ−としての役割も果たしている。
【００５０】
ここに例示された空気改質装置１３および１３’ばかりでなく、本発明で特定された要件を具えたあらゆる空気改質装置は適宜に組み合わせて、例えば、直列または並列につなぎ合わせて使うことができ、したがって改質された空気の流れを使用する本発明においては、ブロアまたはコンプレッサ−から吹き出される空気の流れは１回または２回以上にわたり二つに分けられて、その分けられた二以上の空気の流れは、本発明で特定された要件を具えたいずれかの空気改質装置の中で互いに衝突し合うことによって混合され、その結果これらの空気の流れはクラスタ−が小さくなった活性の高い改質空気となる。
【００５１】
上述のように空気の流れを形成させるためには、一般にどのような手段を採用してもよいが、通常、上に挙げたようなブロアまたはコンプレッサ−が好都合に使用される。
【００５２】
上述のように空気改質装置の中で互いに衝突し合うような二以上の空気の流れを生じさせるには、一般に２台以上のブロアまたはコンプレッサ−を組み合わせて使うか、またはこれらの吐出側導管の先端が二つ以上に分岐されている空気導入用導管、またはこの両者が組み合わされて使用される。
【００５３】
以下、コンプレッサ−を使用する場合についても同様であるが、ブロアを例に挙げて説明する。
【００５４】
ブロアから排出される空気の流れを二以上の流れにして空気改質装置の中に導入するには、例えば、図１５ないし１８に示されるように、分岐した空気排出管が吐出側に設けられていない２台以上のブロアを組み合わせて使用してもよい。
【００５５】
図１５は、２台のブロアで空気改質装置の中に２つの空気の流れを導入する態様を示す縦断側面図であり、そして図１６は同じ態様を示す平面図である。
【００５６】
これらの図に示されるように、ブロア２２ａおよびブロア２２ｂには、これらのブロアからそれぞれ吐き出される空気の流れを分けないで空気改質装置２３の中に導くための、分岐していない空気導入用導管部分２４ａおよび２４ｂが取り付けられており、これらの空気導入用導管部分２４ａおよび２４ｂのそれぞれの排出口２４ａ１　および２４ｂ１　は、これらの排出口から放出される空気の流れが空気改質装置２３の中で互いに衝突し合うように配置されている。
【００５７】
図１７は、３台のブロアで空気改質装置の中に３つの空気の流れを導入する態様を示す平面図である。
【００５８】
図示されるように、３台のブロア３２ａ、３２ｂおよび３２ｃは互いに１２０度の角度を開けて同一円周上に配置されていて、それらの分岐していない空気導入用導管３６ａ、３６ｂおよび３６ｃは、これらのそれぞれの排出口３６ａ１　、３６ｂ１　および３６ｃ１　が空気改質装置３３の中で一点に向かうように、すなわちこれらの排出口から放出される空気の流れが共に同じ場所で衝突し合うように配置されている。
【００５９】
図１８は、４台のブロアで空気改質装置の中に４つの空気の流れを導入する態様を示す平面図である。
【００６０】
図示されるように、４台のブロア４２ａ、４２ｂ、４２ｃおよび４２ｄは互いに９０度の角度を開けて同一円周上に配置されていて、それらの分岐していない空気導入用導管４６ａ、４６ｂ、４６ｃおよび４６ｄは、これらのそれぞれの排出口４６ａ１　、４６ｂ１　、４６ｃ１　および４６ｄ１　から排出される空気の流れが空気改質装置４３の中で一点に向かうように、すなわちこれらの排出口から放出される空気の流れが十文字にクロスするように互いに９０度の角度を開けて同一平面上に配置されている。
【００６１】
また、ブロアから排出される空気の流れを二以上の流れにして空気改質装置の中に導入するには、図１９に示されるような、先端が二股に分かれた空気導入用導管を用いてもよく、そして図１９に示されるように、このような分岐している空気導入用導管をそれぞれ具えた２台のブロアを組み合わせてもよい。
【００６２】
図１９は、先端が二股に分岐している空気導入用導管がそれぞれ取り付けられている２台のブロアから、これらの導管を通して空気改質装置の中に４つの空気の流れを導入する態様を示す平面図である。
【００６３】
図示されるように、向かい合わせに配置されている２台のブロア５２ａおよび５２ｂのそれぞれの吐出側には、これらのブロアから吐き出される空気の流れを２つに分けて空気改質装置５３の中に導入するための導管分岐部分５６ａｘ，５６ａｙおよび５６ｂｘ，５６ｂｙをそれぞれ有する二股の空気導入用導管５６ａおよび５６ｂがそれぞれ接続していて、導管分岐部分５６ａｘおよび５６ａｙのそれぞれの排出口５６ａｘ１　および５６ａｙ１　は、空気改質装置５３の中で、導管分岐部分５６ｂｙおよび５６ｂｘのそれぞれの排出口５６ｂｙ１　および５６ｂｘ１　とそれぞれ向かい合っている。
【００６４】
このように分岐している空気導入用導管は二股に限らず、３つ以上に分岐していてもよいし、また、分岐している空気導入用導管を有するブロアを３台以上組み合わせても、更にまた、このように分岐している空気導入用導管を有するブロアを、前述のような分岐していない空気導入用導管を有するブロアと組み合わせてもよい。
【００６５】
また、図１９に示されている導管分岐部分５６ａｘと５６ａｙおよび５６ｂｘと５６ｂｙはいずれも、これらの部分で二股に分けられた空気の流れがそれぞれ互いに衝突し合うようには形作られてはいないが、図２０の平面図で示されるように、この二股に分けられた空気の流れが互いに衝突し合うように形作られている空気導入用導管を有するブロアを使用することもできる。
【００６６】
ブロア６２と空気改質装置６３との関係を示している図２０においては、ブロアから吐き出される空気の流れを２つに分けて空気改質装置６３に送るための二股に分かれた導管分岐部分６６ｘおよび６６ｙを有する空気導入用導管６６がブロアの吐出側に設けられているブロア６２が使用されており、この空気導入用導管６６は、二股に分かれた導管分岐部分６６ｘおよび６６ｙのそれぞれの排出口６６ｘ１　および６６ｙ１　から排出される空気の流れが、空気改質装置６３の中で衝突し合うように、排出口６６ｘ１　と６６ｙ１　とが向かい合って二股の導管分岐部分６６ｘと６６ｙとの先端部分が一直線上に並ぶように形作られている。
【００６７】
図２０に示されているブロア６２では、二股に分かれている空気導入用導管６６は、図示のように、二つに分けられた空気の流れが外部に排出されたのち互いに衝突し合うように形作られているので、空気改質装置について使用されるこのようなブロアは１台で足りるけれども、このブロアはまた、例えば、２台組み合わせて図２１の平面図に示されるように配置して使うこともできる。
【００６８】
図２１の場合も、空気改質装置７３に空気を供給するための組み合わされた２台のブロア７２ａおよび７２ｂにそれぞれ設けられている二股の空気導入用導管７６ａおよび７６ｂの４つの導管分岐部分７６ａｘ，７６ａｙ，７６ｂｘおよび７６ｂｙのそれぞれの排出口７６ａｘ１　，７６ａｙ１　，７６ｂｘ１　および７６ｂｙ１　から排出された空気の流れは、同一平面上で十文字にクロスする状態で互いに衝突する。
【００６９】
以上のような２種類のブロア、すなわち分岐していない空気導入用導管を有するブロアおよび分岐している空気導入用導管を有するブロアの幾つかの態様とその組み合わせの例は、図１５ないし図２１を参照して説明してきたけれども、これらのブロアの態様と組み合わせは、勿論、ここに示された僅かな例に限られることなく様々に変更することができ、例えば、分岐していない空気導入用導管を有するブロアと、図１９および図２０に示されているような分岐している空気導入用導管を有するブロアとを組み合わせても、あるいは図１９および図２０に示されているような分岐している空気導入用導管を有するブロアどうしを組み合わせてもよい。
【００７０】
本発明で用いられる改質された水は、前記のような空気改質装置によって改質された空気を水の流れと混合するか、または、二以上の空気の流れを互いに衝突させるか、もしくは螺旋状に流れる水の流れを壁面または固形物に衝突させることによって製造され、そのためには水改質装置が使用される。
【００７１】
この水改質装置は、容器状の本体、ポンプから排出される二以上の水の流れが前記本体の内部で互いに衝突し合うように前記本体に対して設けられている給水口、または前記ポンプから排出される少なくとも一つの流れを螺旋状に流して、前記本体の壁面または固形物に衝突させるように配置された給水口、および前記衝突により改質された水の流れを前記本体の外部に排出させるように前記本体に対して設けられている排水口を備えている。
【００７２】
図２２は水改質装置の一例を示す縦断側面図であって、ここに示されている水改質装置７では、円筒状の本体７ａの上部からその下部に向かって延びる２本の給水用導管部分７ｂおよび７ｃが前記上部に挿入されている。これらの給水用導管部分７ｂおよび７ｃは、既に例示したように、前述のブロアまたはコンプレッサ−から二以上の空気の流れを形成させる場合と同様に、例えば、２台のポンプの吐出側にそれぞれ別個に設けられた給水用導管部分であってもよいし、また、１台のポンプの吐出側に設けられた一つの給水用導管部分から分岐して形成されている二つの分岐部分であってもよい。
【００７３】
給水用導管部分７ｂおよび７ｃのそれぞれの基部７ｂ１　および７ｃ１　から流入する水の流れが給水用導管部分７ｂおよび７ｃのそれぞれの先端部分７ｂ２　および７ｃ２　から前記容器状本体７ａの中に放出されたとき、これらの２つの水の流れが本体７ａの内部で互いに衝突し合うように、前記先端部分７ｂ２　および７ｃ２　は湾曲していて、それらの末端には互いに向かい合った給水口７ｂ３　および７ｃ３　がそれぞれ形成されている。
【００７４】
前記の放出後に水の流れが互いに激しく混ざり合うことによって生じた改質水は、本体７ａの上部に設けられている排水口７ｄから外部に放出され、したがって本体７ａの中には、通常水面Ｗ１の高さまで水Ｗが充填されている。
【００７５】
図２３は水改質装置のもう一つの例を示す縦断側面図であって、ここに示されている水改質装置７１では、円筒状の本体７１ａの上部からその下部に向かって延びる１本の給水用導管部分７１ｂが前記上部に挿入されている。この給水用導管部分７１ｂの先端部分は二股に分かれていて、この二股に分かれた分岐部分７１ｂ２　と７１ｃ２　とは、基部７１ｂ１　から流入する水の流れがこれらの分岐部分７１ｂ２　と７１ｃ２　の末端から本体７１ａの中に放出されたとき、これらの２つの水の流れが本体７ａの内部で互いに衝突し合うように、前記先端部分７ｂ２　および７１ｃ２　は湾曲していて、それらの末端には互いに向かい合った給水口７１ｂ２ｘおよび７１ｃ２ｙがそれぞれ形成されている。
【００７６】
前記の放出後に水の流れが互いに激しく混ざり合うことによって生じた改質水は、本体７１ａの上部に設けられている排水口７１ｄから外部に放出され、したがって本体７ａの中には、通常水面Ｗ１の高さまで水Ｗが充填されている。
【００７７】
このような水改質装置７１の中には、図２３に示されるように、水と接触させるためのセラミックスまたは石Ｓを充填させてもよく、これらのセラミックスおよび石は多孔板、金網または格子Ｔの上に支持されている。
【００７８】
これらのセラミックスおよび石は水のクラスタ−どうしを密に接触させ、それによって水の改質を増進させる作用があるので、必要に応じて、これらのセラミックスまたは石を水に接触させるのが好ましく、これらのセラミックスおよび石は図２３に示される水改質装置に限られることなく、その他の水改質装置において適宜使用される。
【００７９】
このセラミックスおよび石はまた、空気のクラスタ−を細かくしてその活性を高めるのにも役立つので、図１５ないし図２１に示されているように、例えばブロアの吸引側に配置して、その吸引される空気の流れにこのセラミックスまたは石Ｓを接触させるのが一般に好ましい。
【００８０】
このセラミックスおよび石は、以上のようにして空気または水の流れに接触させるばかりでなく、結局は攪拌装置に導入される空気、水蒸気、およびこの水蒸気に変えられる水のうちのいずれか一または二以上に、それらがこの攪拌装置に導入される前のいずれかの段階で接触させてもよい。
【００８１】
図２４は水改質装置の別の例を示す斜視図であって、この水改質装置７２では円筒状の本体７２ａの上部からその底部に向かって螺旋状に延びる１本の給水用導管部分７２ｂが前記上部に挿入されている。このような螺旋状の給水用導管部分７２ｂの基部７２ｂ１　から流入する水の流れは螺旋状部分７２ｂ２　を通って、その先端に形成されている給水口７２ｂ３　から前記本体７２ａの中に放出される結果、その水の流れは本体７２ａの壁面７２ｃに衝突する。放出される水の流れは、この壁面７２ｃの代わりに、例えばセラミックスまたは石のような固い固形物に衝突させてもよい。
【００８２】
上記の衝突によって改質された水は、本体７２ａの上部に設けられている排水口７２ｄから外部に放出され、したがって本体７２ａの中には、通常水面Ｗ１の高さまで水Ｗが充填されている。
【００８３】
図２５は水改質装置の更に別の例を示す斜視図であって、この水改質装置７３では円筒状の本体７３ａの上部からその底部に向かって２本の給水用導管部分７３ｂおよび７３ｃが互いに撚り合わせた状態で前記上部に挿入されている。このように撚り合わせることによっていずれも螺旋状となっている給水用導管部分７３ｂおよび７３ｃの基部７３ｂ１　および７３ｃ１　からそれぞれ流入する水の流れは螺旋状部分７３ｂ４　および７３ｃ４　を通って、その先端部分７３ｂ２　および７３ｃ２　から前記本体７２ａの中に放出される。
【００８４】
これらの先端部分７３ｂ２　および７３ｃ２　の末端に形成されている給水口７３ｂ３　および７３ｃ３　は、これらの給水口からそれぞれ放出される水の流れが互いに衝突し合うように、向かい合っており、それに応じて前記先端部分７３ｂ２　および７３ｃ２　は湾曲している。
【００８５】
上記の衝突によって改質された水は、本体７３ａの上部に設けられている排水口７３ｄから外部に放出され、したがって本体７３ａの中には、通常水面Ｗ１の高さまで水Ｗが充填されている。
【００８６】
水改質装置の給水口から放出される水の流れの強い勢いが水中でなるべく遠くまで保たれるように、図２２の７ｂと７ｃのようにな２本の給水用導管部分で水を流すためには、例えば、図２６の拡大縦断側面図に、そして図２７の拡大正面図に示されるように、左側の給水用導管部分７ｂの内側壁面には水を右巻きに回転させながら進行させる２本の螺旋状の溝７ｂｍおよび７ｂｎを設け、そして、例えば、図２８の拡大縦断側面図に、そして図２９の拡大正面図に示されるように、右側の給水用導管部分７ｃの内側壁面には水を左巻きに回転させながら進行させる２本の螺旋状の溝７ｃｍおよび７ｃｎをそれぞれ設ければよい。
【００８７】
図２７は給水口７ｂ３　を示すための給水用導管部分７ｂの正面図であって、この図には上記の溝７ｂｍおよび７ｂｎが互いに１８０度の角度を開けて対称的に設けられている状態が示されており、そして図２９は給水口７ｃ３　を示すための給水用導管部分７ｃの正面図であって、この図には上記の溝７ｃｍおよび７ｃｎが互いに１８０度の角度を開けて対称的に設けられている状態が示されている。
【００８８】
図２６ないし図２９は、給水用導管部分に設けられる螺旋状の溝の一例を示すものであって、このような溝は上記の例に限られることなく、例えば、１本または３本以上の給水用導管部分に右巻または左巻のいずれの螺旋状の溝を設けてもよく、また、このような溝はそれぞれの管に１本または３本以上設けてもよい。
【００８９】
また、上記のように回転しながら進む水の流れを前記給水用導管部分７ｂおよび７ｃにおいて生じさせるには、例えば、図３０の斜視図に、そして図３１の透視図に示されるように、左側の給水用導管部分７ｂの湾曲した先端部分７ｂ２　の基部の内側壁面に水を右巻に回転させながら進行させるためのＬ字状のアングル部材Ａｂ１　およびＡｂ２　を互いに向かい合わせに設け、そして　また図３２の透視図に示されるように、右側の給水用導管部分７ｃの湾曲した先端部分７ｃ２　の基部の内側壁面に水を左巻に回転させながら進行させるためのＬ字状のアングル部材Ａｃ１　およびＡｃ２　を互いに向かい合わせに設けてもよい。
【００９０】
このようなアングル部材は先端部分７ｂ２　および７ｃ２　の基部の代わりに、これらの先端部分７ｂ２　および７ｃ２　の前方、すなわち給水口７ｂ３　および７ｃ３　の近くに、あるいはこれらの基部と給水口近くの両方に設けてもよく、また、例えば、１本または３本以上の給水用導管部分に右巻または左巻のいずれかに回転させるためのアングル部材を１個または２個以上設けてもよい。
【００９１】
以上のような水を回転させながら進行させるための螺旋状の溝およびアングル部材は、勿論、図２３ないし図２５に示されるような水改質装置の給水用導管部分または分岐部分に設けてもよい。
【００９２】
以上に例示されたような水改質装置は本発明による処理方法において用いられるばかりでなく、それの水の活性を高める作用によって水に有用な特性、例えば高い乳化作用および優れた洗浄作用を付与することができるので、この水改質装置はまた、これ単独でも、またその他の様々な処理方法および処理装置において様々に利用することができる。
【００９３】
水蒸気発生装置としては、最も一般的にはボイラ−が使用されるが、このボイラ−の代わりに、あるいはこのボイラ−に付随して、例えば、産業上の様々な生産設備、工場、処理場等で水蒸気を発生する装置も使用することができる。
【００９４】
本発明においては、空気の流れが攪拌装置中に放出される前に、この空気の流れは必要に応じて予熱され、そのためには電熱器のような加熱装置、例えば温風器の加熱原理を利用するような加熱装置が空気導入用導管に設けられる。
【００９５】
図３３は、本発明で使用される攪拌装置の一例を示す縦断側面図であり、そして図３４は、この攪拌装置の蓋が取り除かれた内部を示すために、斜め上方からこの攪拌装置を見た斜視図である。
【００９６】
この攪拌装置１の箱形本体１ａは、支柱１ｂによりその片側が持ち上げられた状態で地盤Ｇ上に支持されることによって、長さ方向が斜めに傾いている。本体１ａの底部には、投入口１ｃから投入されて、この底部に落ちたゴミ、灰または土のような被処理物を攪拌して混合するための２つのスクリュ−コンベヤ１ｄ，１ｄ（図３３では片方だけ描かれている。）が所定の間隔を開けて互いに平行に配置されている。このコンベヤ１ｄ，１ｄは、これらの上に載った被処理物をそのコンベヤ１ｄと１ｄとの間に巻き込みながら上方に運ぶように互いに逆方向に回転する。
【００９７】
支柱１ｂが設けられている側の本体１ａの底部には、処理後の被処理物を攪拌装置１の外に取り出すための取り出し口１ｅが設けられていて、この取り出し口１ｅは、この取り出し口１ｅを覆うように設けられているスライド式の板１ｆをずらすことによって開閉自在となっている。本体１ａの上部は、攪拌装置１を密閉状態に保つための蓋１ｇで覆われている。
【００９８】
攪拌装置１に空気を導入するための空気導入用導管および水蒸気導入用導管はこの攪拌装置１の適宜な場所、例えば、本体１ａの側面にに設けられる。
【００９９】
このような攪拌装置１の投入口１ｃから被処理物を投入して、攪拌装置１を作動させると、この被処理物は２つのスクリュ−コンベヤ１ｄ，１ｄの上に落ちた後、これらのコンベヤ１ｄと１ｄとの間に引き寄せられることによって混合される。
【０１００】
スクリュ−コンベヤ１ｄ，１ｄの回転によって次第に上方に運ばれた被処理物は、スクリュ−コンベヤ１ｄ，１ｄの下方に向かって順次崩れ落ちることによって、上方への移動と下方への落下とを繰り返し、このような動きによっても被処理物は上記の混合と合わせて十分に混合される。
【０１０１】
このように混合される被処理物は、その混合と同時に改質された空気、または改質された水蒸気、またはこの両者に曝されることによって、その被処理物が灰または土である場合には、これらを汚染していたダイオキシンや重金属の濃度が著しく低下し、また、その被処理物がゴミである場合には、そのゴミが土のような取扱し易い物質に変化すると共に、このゴミの中に含まれていたダイオキシンや重金属も除去される。
【０１０２】
本発明においては、図３３および図３４に例示されている攪拌装置以外にも、従来から知られている様々な攪拌装置を適宜使用することができる。
【０１０３】
本発明においては、互いに衝突させることによって改質された空気、および互いに衝突させることによって改質された水または改質された空気と混合することによって改質された水から生じた改質水蒸気のいずれか一方または双方をする点を特徴としているが、このような空気の改質および水蒸気の改質は、前述のように、上記攪拌装置において、その場で生じさせることもできる。
【０１０４】
したがって、改質されていない空気の流れおよび改質されていない水蒸気の流れのいずれか一方または双方から選ばれる二以上の流れを攪拌装置に導入し、そしてこの攪拌装置中に放出される二以上の流れのうちのいずれか二以上の流れを互いに衝突させることによって改質された空気または改質された水蒸気またはこの両者を攪拌装置内でその場で生じさせることができる。
【０１０５】
この場合には、例えば、前述の空気改質装置および水改質装置で述べたような二つの流れを互いに衝突させる手段を採用することができ、また、空気または水蒸気の流れを三つ以上に分岐させたり、あるいは、これらの分岐した管と分岐していない管から選ばれる二以上の管を組み合わせることによって、前記二以上の流れを互いに衝突させてもよい。
【０１０６】
また、改質された空気の流れおよび改質された水蒸気の流れのうちの少なくとも一方が攪拌装置に導入される場合でも、これらの流れのうちのいずれか二以上の流れを上述のように攪拌装置内で互いに衝突させると、攪拌装置内の雰囲気は一層改質されるので、このような衝突を起こさせるのが、この雰囲気の活性を高めるという面では一般に好ましい。
【０１０７】
空気を使用して本発明の処理方法を実施するために使われる装置の代表的な一例は、添付図面の図３５に概略図として示されており、この図３５の処理装置Ｂ１は、ブロア２０、空気改質装置３０、加熱装置Ｈ、攪拌装置１０およびブロア２０の吐出側から空気改質装置３０へ空気の流れを運ぶ空気導入用導管部分４０ａと空気改質装置３０から攪拌装置１０へ空気の流れを運ぶ空気導入用導管部分４０ｂとからなる空気導入用導管４０を含んでいる。
【０１０８】
この装置Ｂ１は攪拌装置１０に改質された熱い空気の流れを導入することによって前述のような被処理物を処理するものであって、ブロア２０から出た空気の流れは空気導入用導管部分４０ａを通って空気改質装置３０中に放出される。空気改質装置３０でクラスタ−が小さくなった改質空気は空気導入用導管部分４０ｂを通って攪拌装置１０内に導入される。
【０１０９】
攪拌装置１０内に導入される空気を加熱するためには、その空気を加熱するための加熱装置Ｈは一般に前記導管部分４０ｂのどの部分に取り付けてもよいが、図３５に示される処理装置Ｂ１においては、加熱装置Ｈで発生する熱を攪拌装置１０内でなるべく有効に利用するために、攪拌装置１０内に挿入される導管部分４０ｂの先端付近に加熱装置Ｈが取り付けられている。
【０１１０】
この加熱装置としては、例えば市販の温風機または熱風機または、これらに類する装置が好都合に使用され、前記空気を加熱することができるその他の適宜の加熱装置も本発明で使用することができる。
【０１１１】
水蒸気を使用して本発明の処理方法を実施するために使われる装置の代表的な別の一例は、添付図面の図３６に概略図として示されており、この図３６の処理装置Ｂ２は、ポンプ５０、水改質装置７０、ボイラ−８０、攪拌装置１０およびポンプ５０の吐出側から水改質装置７０へ水を送る給水用導管部分６０ａと水改質装置７０からボイラ−８０へ改質された水を送る給水用導管部分６０ｂとからなる給水用導管６０、およびボイラ−８０で生じた水蒸気をボイラ−８０に導入するための水蒸気導入用導管９０を含んでいる。
【０１１２】
この装置Ｂ２は攪拌装置１０に改質された水蒸気の流れを導入することによって前述のような被処理物を処理するものであって、ポンプ５０から出た水の流れは給水用導管部分６０ａを通って水改質装置７０中に放出される。水改質装置７０でクラスタ−が小さくなった改質水は給水用導管部分６０ｂを通ってボイラ−８０に導入される。ボイラ−８０で発生した改質水蒸気は水蒸気導入用導管９０を通って攪拌装置１０内に導入される。
【０１１３】
本発明においては、攪拌装置に導入される空気または水蒸気またはこの両者によって、その攪拌装置内の雰囲気の温度が常温よりも高い処理温度に保たれ、この温度は一般に６０〜１４０℃であるのが好ましく、８０〜１２０℃であるのがより好ましい。
【０１１４】
したがって、空気が加熱されて攪拌装置に導入される場合、一般にこの空気の温度は攪拌装置内の雰囲気温度を上記のような温度に保つ温度であればよい。
【０１１５】
ここには、改質された空気が使用される場合の一例として前記の装置Ｂ１、および改質された水蒸気が使用される場合の一例として前記の装置Ｂ２が示されているが、本発明の処理装置は前記の図１ないし図１２のブロック図で例示されているように組み合わされた装置を包含しているので、本発明の処理装置は図３５および図３６にそれぞれ示された装置Ｂ１およびＢ２以外の非常に多くの装置もこれらの図に倣って表すことができる。
【０１１６】
したがって、ブロアまたはコンプレッサ−、ポンプ、空気改質装置、水改質装置、水蒸気発生装置、空気供給用導管、給水用導管および水蒸気導入用導管の適宜な組み合わせからなる本発明の処理装置は、勿論、図３５および図３６に示される装置に限られることなく、請求項６、８および１０で特定されるあらゆる装置を包含している。
【０１１７】
本発明の処理方法においては、被処理物と、バガス、またはこれに準じる植物由来の滓または成分との合計量を基準として、例えば５ないし３０容量％程度のバガス、またはこれに準じる植物由来の滓または成分を処理中に加えると、処理の効果が増進されるので、バガス、またはこれに準じる植物由来の滓または成分を加えるのが一般に好ましい。バガスに準じる植物由来の滓または成分の例としては、ピ−トモスが挙げられる。
【０１１８】
【実施例】
ついで、実施例を参照して本発明を説明するが、本発明は勿論この実施例によって限定されない。
【０１１９】
実施例１
図３３に示されるような容量１．５ｍ３　の攪拌装置が組み込まれている図３６に示されるような処理装置を用いて、ゴミ焼却場の排水路に堆積した堆積物を処理した。
【０１２０】
この堆積物０．５ｍ３　を前記攪拌装置に投入して、改質された水蒸気をこの攪拌装置に導入しながら、堆積物を２時間攪拌処理したところ、この堆積物中に含まれていたダイオキシン類および含有試験による重金属の濃度は下記の表１に示されるように減少した。
【０１２１】
この実施例においては、前記の図２３に示されるように、１０ｍｍ程度の大きさの石が充填されている水改質装置が使用された。
【０１２２】
2004049956.tif 000003
また、この堆積物の処理前および処理後において上記重金属の溶出試験を実施したところ、その結果は下記の表２の通りであった。
2004049956.tif 000004
表１におけるダイオキシン類および表２における溶出試験は「土壌の汚染に係る環境基準」によるものであり、そして重金属に関する上記の含有試験は、重金属等に係る土壌汚染調査・対策指針及び有機塩素系化合物等に係る土壌・地下水汚染調査・対策暫定指針（環境省）によるものである。
【０１２３】
表１に示されるように、前記堆積物中に含まれるダイオキシン類は基準値を満たすほど十分に除去されるとともに、水銀、鉛、砒素およびカドミウムという重金属の含有量も本発明によって著しく低減されることが分かる。
【０１２４】
また、表２に示されるように、前記堆積物中に含まれていた水銀、鉛および砒素が処理前では基準値を大幅に上回る値を示したのに対して、処理後では基準値を十分に満足させるほど著しく低下し、またカドミウムについても処理の前後で数値の減少が観察された。
実施例２
実施例１の場合と同じ攪拌装置に、実施例１で使用したのと同じ水改質装置により改質された水蒸気の他に、図１３に示されるような空気改質装置により改質され、かつ加熱された空気も吹き込みながら、実施例１と同様にして、それぞれ０．５ｍ３　程度の様々なゴミを処理したところ、次のような結果が得られた。
【０１２５】
蟹の甲羅を処理すると、２時間で暗褐色の土状の物質に変化した。
【０１２６】
キャベツと魚のアラを処理すると、１５分で土状の物質に変化し始め、４０分後にはボロボロの土状の物質となった。
【０１２７】
花壇の植え換え作業によって生じた草花の屑を処理すると、５分後には土状の物質に変化し始め、３０分後には全体が土状の物質となった。ただし、この場合には改質された空気を水の流れに混合することによって水を改質し、その改質された水から生じた水蒸気を使用した。
【０１２８】
植木の剪定で生じた木の枝葉と、雑草と、野菜のゴミとが混ざったものを処理すると、１０分後には形が崩れ始め、１時間半後には一部が繊維状で残った土状の物質となって、肥料として使える状態になった。
【０１２９】
１年間野外に放置されて乾燥した間伐材を１時間処理し、そして一旦装置の運転を止めて更に１時間処理したところ、この間伐材は土に混ぜて使える程の土に似た物質に変化した。
【０１３０】
以上の処理によって得られた土状の物質は、いずれも肥料または土壌改良材として土に混ぜて使うことができた。
実施例３
実施例２のような処理において、実施例１で用いた水改質装置により改質された水蒸気と、改質されていない加熱空気とを吹き込んで蟹の甲羅を処理すると、蟹の甲羅は１時間後に表面が褐色の土状の物質に変化し始め、４時間で全体が暗褐色の土状の物質に変化した。
【０１３１】
また、この場合、水改質装置に充填されている石を５ｍｍ程度のセラミックスに置き換え、そして攪拌装置に導入される空気の流れをこの攪拌装置内で二つに分けてその二つの流れが攪拌装置内で互いに衝突し合うようにこれらの流れを放出させると、蟹の甲羅は実施例２の場合と同様に２時間で暗褐色の土状の物質に変化した。
【０１３２】
上記と同様に改質された水蒸気と、改質されていない加熱空気とを吹き込んで花壇の植え換え作業によって生じた草花の屑を処理すると、１０分後に表面が土状の物質に変化し始め、１時間後には全体が土状の物質となった。この場合、図２２に示されるような水改質装置を使用して、改質された水蒸気を生成させた。
【０１３３】
また、この場合更に、攪拌装置に導入される水蒸気の流れと空気の流れとが攪拌装置内で互いに衝突し合うようにこれらの流れを攪拌装置中に放出させると、蟹の甲羅は実施例２の場合と同様に２時間で暗褐色の土状の物質に変化した。
【０１３４】
上記と同様に改質された水蒸気と、改質されていない加熱空気とが攪拌装置内で互いに衝突し合うように、これらの流れを吹き込んで植木の剪定で生じた木の枝葉と、雑草と、野菜のゴミとが混ざったものを処理すると、２０分後に形が崩れ始め、２時間半後には一部が繊維状で残った土状の物質となって、肥料として使える状態になった。この場合、図２３に示されるような水改質装置を使用し、かつ石もセラミックスも充填しないで、改質された水蒸気を生成させた。ここでは、バガスを含む全体の容量に対して、１５容量％のバガスを上記被処理物に加えて処理した。
【０１３５】
また、このような場合において更に、攪拌装置に導入される水蒸気の流れをこの攪拌装置内で二つに分けてその二つの流れが攪拌装置内で互いに衝突し合うようにこれらの流れを放出させると、上記の木の枝葉と、雑草と、野菜のゴミとが混ざったものは１５分後に形が崩れ始め、２時間後には一部が繊維状で残った土状の物質となって、肥料として使える状態になった。
実施例４
実施例２のような処理において、図１３に示されるような空気改質装置により改質され、かつ加熱された空気のみを前記攪拌装置に吹き込む、図３５に示されるような処理装置において蟹の甲羅を処理すると、蟹の甲羅は２時間半で表面が褐色の土状の物質に変化し始め、５時間で暗褐色の土状の物質に変化した。
【０１３６】
また、このような処理において、上記の改質され、かつ加熱された空気の代わりに改質されていない水蒸気のみを導入し、そしてこの水蒸気の流れをこの攪拌装置内で二つに分けてその二つの流れが攪拌装置内で互いに衝突し合うようにこれらの流れを放出させると、蟹の甲羅は１時間で表面が褐色の土状の物質に変化し始め、３時間で暗褐色の土状の物質に変化した。
【０１３７】
上記と同様に、花壇の植え換え作業によって生じた草花の屑を、図１３に示されるような空気改質装置により改質され、かつ加熱された空気のみを吹き込んで処理すると、３０分後に表面が土状の物質に変化し始め、２時間後には全体が土状の物質となった。この場合、ブロアの吸引側に５〜６ｍｍ程度のセラミックスを配置して、このセラミックスを吸引空気に接触させた。
【０１３８】
また、このような処理において、改質されていない水蒸気のみを導入し、そしてこの水蒸気の流れをこの攪拌装置内で二つに分けてその二つの流れが攪拌装置内で互いに衝突し合うようにこれらの流れを放出させると、草花の屑は１５分後に表面が土状の物質に変化し始め、１時間後には全体が土状の物質となった。ただし、この場合、ポンプの吸引側に１０ｍｍ程度の石を配置して、このセラミックスを吸引される水に接触させ、また、バガスを含む全体の容量に対して、１０容量％のバガスを上記草花の屑に加えて処理した。
実施例５
実施例１の場合と同じ攪拌装置に改質された水蒸気と改質され、かつ加熱された空気を吹き込みながら、実施例１と同様にこの攪拌装置でゴミの焼却場で生じた焼却灰を処理したところ、次の表３に示されるような結果が得られた。
【０１３９】
2004049956.tif 000005
※　表３において、ダイオキシン類はポリ塩化ジベンゾフランとポリ塩化ジベンゾ−　パラ−　ジオキシンの合計量として表されている。
【０１４０】
※※　　単位のｎｇ−ＴＥＱ／ｇは乾燥重量当たりの量を示している。
【０１４１】
（１）　毒性等価係数（ＴＥＦ）としてＩｎｔｅｒｎａｔｉｏｎａｌ−ＴＥＦ（１９８８）　が適用された。
【０１４２】
（２）　毒性等価係数（ＴＥＦ）としてＷＨＯ−ＴＥＦ（１９９７）　が適用された。
【０１４３】
（３）　毒性等価係数（ＴＥＦ）としてＷＨＯ／ＩＯＣＳ−ＴＥＦ（１９９３）が適用された。
【０１４４】
（４）　毒性等価係数（ＴＥＦ）としてＷＨＯ／−ＴＥＦ（１９９８）が適用された。
【０１４５】
【発明の効果】
以上述べた説明から明らかなように、本発明によれば、生ゴミ、木材チップ、間伐材、農業、園芸、畜産または土木工事等で廃棄物として生ずる様々な作物、栽培植物、排泄物、植物もしくは動物に由来する材料またはこれらのものの処理または加工に伴って生じた様々な廃棄物および雑草のようなゴミは、驚くほど速やかに、臭気が著しく軽減された取扱易い土または肥料のような物質に変化し、また、ダイオキシンや重金属等の有害物質で高濃度に汚染された土や灰は極く短時間のうちに驚くほど徹底して浄化される。
【図面の簡単な説明】
【図１】本発明方法に従って使用される処理装置の一例を、それの主要な構成要素で概略的に示すブロック図である。
【図２】本発明方法に従って使用される処理装置の別の一例を、それの主要な構成要素で概略的に示すブロック図である。
【図３】本発明方法に従って使用される処理装置の更に別の一例を、それの主要な構成要素で概略的に示すブロック図である。
【図４】本発明方法に従って使用される処理装置の更に別の一例を、それの主要な構成要素で概略的に示すブロック図である。
【図５】本発明方法に従って使用される処理装置の更に別の一例を、それの主要な構成要素で概略的に示すブロック図である。
【図６】本発明方法に従って使用される処理装置の更に別の一例を、それの主要な構成要素で概略的に示すブロック図である。
【図７】本発明方法に従って使用される処理装置の更に別の一例を、それの主要な構成要素で概略的に示すブロック図である。
【図８】本発明方法に従って使用される処理装置の更に別の一例を、それの主要な構成要素で概略的に示すブロック図である。
【図９】本発明方法に従って使用される処理装置の更に別の一例を、それの主要な構成要素で概略的に示すブロック図である。
【図１０】本発明方法に従って使用される処理装置の更に別の一例を、それの主要な構成要素で概略的に示すブロック図である。
【図１１】本発明方法に従って使用される処理装置の更に別の一例を、それの主要な構成要素で概略的に示すブロック図である。
【図１２】本発明方法に従って使用される処理装置の更に別の一例を、それの主要な構成要素で概略的に示すブロック図である。
【図１３】本発明で使用される空気改質装置の一例を示す縦断側面図である。
【図１４】本発明で使用される空気改質装置の別の一例を示す縦断側面図である。
【図１５】２台のブロアから吐き出される空気の流れを別々に空気改質装置に導入する態様の一例を示す縦断側面図である。
【図１６】図１５に示される装置の平面図である。
【図１７】互いに等しい角度の間隔で配置されている３台のブロアから吐き出される空気の流れを別々に空気改質装置に導入する態様の一例を示す平面図である。
【図１８】ブロアから吐き出される空気の流れが互いに十文字にクロスするように配置されている４台のブロアから吐き出される空気の流れを別々に空気改質装置に導入する態様の一例を示す平面図である。
【図１９】ブロアから吐き出される空気の流れを二つに分けて送るが、外部に排出された後の空気の流れが互いに衝突し合うようには形作られていない吐出配管部分を有する二台のブロアから吐き出される空気の流れをそれぞれに空気改質装置に導入する態様の一例を示す平面図である。
【図２０】ブロアから吐き出される空気の流れを二つに分けて送って、外部に排出された後の空気の流れが互いに衝突し合うように形作られている吐出配管部分を有するブロアから吐き出される空気の流れをそれぞれに空気改質装置に導入する態様の一例を示す平面図である。
【図２１】図２０に示されるような二股に分かれた吐出配管部分から吐き出される空気の流れが互いに十文字にクロスするように配置されている二台のブロアから吐き出される空気の流れをそれぞれに空気改質装置に導入する態様の一例を示す平面図である。
【図２２】本発明で使用される水改質装置の一例を示す縦断側面図である。
【図２３】本発明で使用される水改質装置の別の一例を示す縦断側面図である。
【図２４】本発明で使用される水改質装置の更に別の一例を示す縦断側面図である。
【図２５】本発明で使用される水改質装置の更に別の一例を示す縦断側面図である。が組み合わされて、その組み合わされたブロアから吐き出される空気の流れが互いに十文字にクロスするように配置されている浄化装置の一例を示す平面図である。
【図２６】水の流れを右巻に回転させながら進行させるための２本の螺旋状の溝が切られている導管部分を示す縦断側面図である。
【図２７】図２６に示されている導管部分の正面図である。
【図２８】水の流れを左巻に回転させながら進行させるための２本の螺旋状の溝が切られている導管部分を示す縦断側面図である。
【図２９】図２８に示されている導管部分の正面図である。
【図３０】相対する一対の導管部分にそれぞれアングル部材が設けられている状態を示す斜視図である。
【図３１】図３０に示される一方の導管部分を、その基部から、その前方の給水口に向かって描いた透視図である。
【図３２】図３０に示される他方の導管部分を、その基部から、その前方の給水口に向かって描いた透視図である。
【図３３】攪拌装置の一例を示す縦断側面図である。
【図３４】図３３の攪拌装置の蓋が取り除かれた内部を斜め上方から見た斜視図である。
【図３５】本発明の処理装置の一例を示す概略図である。
【図３６】本発明の処理装置の別の一例を示す概略図である。
【符号の説明】
１　　　　　　　　　　　　　・・・・・・・・・・・・・・・・攪拌装置
２　　　　　　　　　　　　　・・・・・・・ブロアまたはコンプレッサ−
２２ａ，　２２ｂ，　３２ａ，　３２ｂ，　３２ｃ，　４２ａ，　４２ｂ，　４２ｃ，　４２ｄ，　５２ａ，　５２ｂ，　６２，　７２ａ，　７２ｂ
・・・・・・・・・・・・・・・・・ブロア
３，１３，　１３’，　２３，　３３，　４３，　５３，　６３，　７３　・・・・・・・・・・空気改質装置
４，４’　　　　　　　　　　・・・・・・・・・・・・・空気導入用導管
５　　　　　　　　　　　　　・・・・・・・・・・・・・・・・・ポンプ
６　　　　　　　　　　　　　・・・・・・・・・・・・・・・給水用導管
７，７１，　７２，　７３　　　　　　　・・・・・・・・・・・・・・・水改質装置
７ｂ，　７ｃ　　　　　　　　　　　・・・・・・・・・・・・・給水用導管部分
７ｂｍ，　７ｂｎ，　７ｃｍ，　７ｃｎ　　　　　・・・・・・・・・・・・・・・螺旋状の溝
８，８’　　　　　　　　　　・・・・・・・・・・・・・水蒸気発生装置
９，９’　　　　　　　　　　・・・・・・・・・・・・水蒸気導入用導管
９，９’　　　　　　　　　　・・・・・・・・・・・・水蒸気導入用導管
Ａｂ１，　Ａｂ２，　Ａｃ１，　Ａｃ２，　　　　　・・・・・・・・・・・・・・アングル部材
Ｓ　　　　　　　　　　　　　・・・・・・・・・・セラミックスまたは石
Ｔ　　　　　　　　　　　　　・・・・・・・・・多孔板、金網または格子
【図１】
2004049956.tif 000006
【図２】
2004049956.tif 000007
【図３】
2004049956.tif 000008
【図４】
2004049956.tif 000009
【図５】
2004049956.tif 000010
【図６】
2004049956.tif 000011
【図７】
2004049956.tif 000012
【図８】
2004049956.tif 000013
【図９】
2004049956.tif 000014
【図１０】
2004049956.tif 000015
【図１１】
2004049956.tif 000016
【図１２】
2004049956.tif 000017
【図１３】
2004049956.tif 000018
【図１４】
2004049956.tif 000019
【図１５】
2004049956.tif 000020
【図１６】
2004049956.tif 000021
【図１７】
2004049956.tif 000022
【図１８】
2004049956.tif 000023
【図１９】
2004049956.tif 000024
【図２０】
2004049956.tif 000025
【図２１】
2004049956.tif 000026
【図２２】
2004049956.tif 000027
【図２３】
2004049956.tif 000028
【図２４】
2004049956.tif 000029
【図２５】
2004049956.tif 000030
【図２６】
2004049956.tif 000031
【図２７】
2004049956.tif 000032
【図２８】
2004049956.tif 000033
【図２９】
2004049956.tif 000034
【図３０】
2004049956.tif 000035
【図３１】
2004049956.tif 000036
【図３２】
2004049956.tif 000037
【図３３】
2004049956.tif 000038
【図３４】
2004049956.tif 000039
【図３５】
2004049956.tif 000040
【図３６】
2004049956.tif 000041
【手続補正書】
【提出日】平成14年9月12日(2002.9.12)
【手続補正１】
【補正対象書類名】明細書
【補正対象項目名】請求項６
【補正方法】変更
【補正の内容】
【請求項６】
ゴミ、灰または土を処理するための装置であって、この装置が
（１）密閉される攪拌装置、
（２）ブロアまたはコンプレッサー、下記（３）と（４）との組合せ、すなわち
（３）容器状の本体、前記ブロアまたはコンプレッサーから排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（４）前記ブロアまたはコンプレッサーの吐出側から前記空気改質装置へ空気の流れを導く空気導入用導管部分と前記空気改質装置から前記攪拌装置へ空気の流れを導く空気導入用導管部分とからなる空気導入用導管、との組合せ、および
（５）前記ブロアまたはコンプレッサーの吐出側から前記攪拌装置へ直接空気の
流れを導く空気導入用導管、
すなわち、前記（３）と（４）との組合せ、および前記（５）の空気導入用導管のうちのいずれか一方または双方、一ただし、前記（３）および（４）と組み合わせられない場合の前記（５）の空気導入用導管は、前記攪拌装置中に導入される空気の流れを二以上の流れとして前記攪拌装置中に放出させて、その二以上の流れのうちのいずれか二以上の流れが前記の放出後に互いに衝突するように設けられる空気導入用導管であり、−および
（６）前記空気導入用導管に設けられる、これらの導管を通る空気を加熱するための加熱装置、を具えていることを特徴とする、前記処理装置。
【手続補正２】
【補正対象書類名】明細書
【補正対象項目名】請求項８
【補正方法】変更
【補正の内容】
【請求項８】
ゴミ、灰または土を処理するための装置であって、この装置が
（１）密閉される攪拌装置、
（２）ポンプ、
（３）水蒸気発生装置、
（４）前記水蒸気発生装置で生じた水蒸気を前記水蒸気発生装置から前記攪拌装置に導入するための水蒸気導入用導管、および下記（５）と（６）との組合せ、すなわち
（５）容器状の本体、前記ポンプから排出される二以上の水の流れが前記本体の内部で互いに衝突し合うように前記本体に対して設けられている給水口、または前記ポンプから排出される少なくとも一つの水の流れを螺旋状に流して、前記本体の壁面または固形物に衝突させるように配置された給水口、および前記衝突により改質された水の流れを前記本体の外部に排出させるように前記本体に対して設けられている排水口を備えている水改質装置と、
（６）前記ポンプから排出される水を前記水改質装置に送るための給水用導管部分と前記水改質装置から排出される水を前記水蒸気発生装置に送るための給水用導管部分とからなる給水用導管、との組合せ、
（７）前記（２）のポンプから排出される水を前記水蒸気発生装置に直接送るための給水用導管、前記（５）と（６）と下記（８）と（９）と（１０）との組合せ、すなわち前記（５）の水改質装置と、前記（６）の給水用導管と、
（８）ブロアまたはコンプレッサーと、
（９）容器状の本体、前記ブロアまたはコンプレッサーから排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（１０）前記ブロアまたはコンプレッサーから排出される空気を前記空気改質装置に供給するための空気供給用導管部分と、前記空気改質装置から排出される改質空気を前記（６）の給水用導管に供給するための空気供給用導管部分とからなる空気供給用導管、との組合せ、および前記（７）と（８）と（９）と下記（１１）との組合せ、すなわち前記（７）の給水用導管と、前記（８）のブロアまたはコンプレッサーと、前記（９）の空気改質装置と、
（１１）前記ブロアまたはコンプレッサーから排出される空気を前記空気改質装置に供給するための空気供給用導管部分と、前記空気改質装置から排出される改質空気を前記（７）の給水用導管に供給するための空気供給用導管部分とからなる空気供給用導管、との組合せ、すなわち、前記（５）と（６）との組合せ、前記（７）の給水用導管、前記（５）と（６）と（８）と（９）と（１０）との組合せ、および前記（７）と（８）と（９）と（１１）との組合せのうちの少なくとも一つ、−ただし、これらのうち前記（７）の給水用導管だけが採用される場合には、前記（４）の水蒸気導入用導管は、前記攪拌装置中に導入される水蒸気の流れを二以上の流れとして前記攪拌装置中に放出させて、その二以上の流れのうちのいずれか二以上の流れが前記の放出後に互いに衝突するように設けられる水蒸気導入用導管である−、を具えていることを特徴とする、前記処理装置。
【手続補正３】
【補正対象書類名】明細書
【補正対象項目名】請求項１０
【補正方法】変更
【補正の内容】
【請求項１０】
ゴミ、灰または土を処理するための装置であって、この装置が
（１）密閉される攪拌装置、
（２）ブロアまたはコンプレッサー、
（３）ポンプ、
（４）水蒸気発生装置、
（５）前記水蒸気発生装置で生じた水蒸気を前記水蒸気発生装置から前記攪拌装置に導入するための水蒸気導入用導管、下記（６）と（７）との組合せ、すなわち
（６）前記ブロアまたはコンプレッサーの吐出側から前記攪拌装置へ直接空気の流れを導く空気導入用導管と、
（７）前記（３）のポンプから排出される水を前記水蒸気発生装置に直接送るための給水用導管、との組合せ、−ただし、この場合、前記（５）の水蒸気導入用導管および前記（６）の空気導入用導管は、これらの導管から前記攪拌装置中に導入される二以上の流れが前記攪拌装置中に放出された後、その二以上の流れのうちのいずれか二以上の流れが互いに衝突するように設けられている水蒸気導入用導管および空気導入用導管であり−、前記（６）と下記（８）と（９）との組合せ、すなわち前記（６）の空気導入用導管と、
（８）容器状の本体、前記ポンプから排出される二以上の水の流れが前記本体の内部で互いに衝突し合うように前記本体に対して設けられている給水口、または前記ポンプから排出される少なくとも一つの水の流れを螺旋状に流して、前記本体の壁面または固形物に衝突させるように配置された給水口、および前記衝突により改質された水の流れを前記本体の外部に排出させるように前記本体に対して設けられている排水口を備えている水改質装置と、
（９）前記ポンプから排出される水を前記水改質装置に送るための給水用導管部分と前記水改質装置から排出される水を前記水蒸気発生装置に送るための給水用導管部分とからなる給水用導管、との組合せ、前記（７）と下記（１０）と（１１）との組合せ、すなわち前記（７）の給水用導管と、
（１０）容器状の本体、前記ブロアまたはコンプレッサーから排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（１１）前記ブロアまたはコンプレッサーの吐出側から前記空気改質装置へ空気の流れを導く空気導入用導管部分と前記空気改質装置から前記攪拌装置へ空気の流れを導く空気導入用導管部分とからなる空気導入用導管、との組合せ、前記（８）と（９）と（１０）と（１１）との組合せ、すなわち前記（８）の水改質装置と、前記（９）の給水用導管と、前記（１０）の空気改質装置と、前記（１１）の空気導入用導管、との組合せ、および前記（８）と、（７）または（９）と、（１０）と、下記（１２）との組合せ、すなわち前記（８）の水改質装置と、前記（７）の給水用導管または前記（９）の給水用導管と、前記（１０）の空気改質装置と、
（１２）前記ブロアまたはコンプレッサーから排出される空気を前記空気改質装置に供給するための空気供給用導管部分と、前記空気改質装置から排出される改質空気を前記（５）の水蒸気導入用導管、前記（７）の給水用導管または前記（９）の給水用導管に供給するための空気供給用導管部分とからなる空気供給用導管、との組合せ、すなわち、前記（６）と（７）との組合せ、前記（６）と（８）と（９）との組合せ、前記（７）と（１０）と（１１）との組合せ、前記（８）と（９）と（１０）と（１１）との組合せ、および前記（８）と、（７）または（９）と、（１０）と、（１２）との組合せのうちの少なくとも一つ、および
（１３）前記空気導入用導管に設けられる、これらの導管を通る空気を加熱するための加熱装置、を具えていることを特徴とする、前記処理装置。
【手続補正４】
【補正対象書類名】明細書
【補正対象項目名】〔０００７〕
【補正方法】変更
【補正の内容】
【０００７】
本発明は、このような知見に基づいて発明されたもので、
１．密閉された攪拌装置の中で攪拌されているゴミ、灰または土をこの攪拌装置に導入される空気または水蒸気、あるいはこの両者に曝すことによって、これらのゴミ、灰または土を処理する方法であって、
ａ．前記空気が、
１．二以上の空気の流れを互いに衝突させることによって改質された空気、
２．前記のように改質されていない空気、および
３．前記の改質された空気と前記の改質されていない空気とが予め混合された空気のうちから選ばれるいずれか一または二以上の流れとして導入され、
ｂ．前記水蒸気が、
１．二以上の水の流れを互いに衝突させるか、もしくは螺旋状に流れる水の流れを壁面または固形物に衝突させることによって改質された水、または前記改質された空気を水の流れと混合することによって改質された水、から生じた改質された水蒸気、
２．前記のように改質されていない水蒸気、および
３．前記の改質された水蒸気と前記の改質されていない水蒸気とが予め混合
された水蒸気のうちから選ばれるいずれか一または二以上の流れとして導入され、ここで
ｃ．前記の改質された空気および前記の改質された水蒸気のいずれもが攪拌装置に導入されない場合には、攪拌装置に導入される空気の一または二以上の流れおよび水蒸気の一または二以上の流れのうちから選ばれるいずれか二以上の流れが攪拌装置内で互いに衝突し合うように、前記いずれか二以上の流れを攪拌装置中に放出し、そして
ｄ．前記ａの空気の流れのうちのいずれか一または二以上が攪拌装置中に放出される前に予め加熱されていることを特徴とする、前記処理方法、
２．ゴミ、灰または土を処理するための装置であって、この装置が
（１）密閉される攪拌装置、
（２）ブロアまたはコンプレッサー、
下記（３）と（４）との組合せ、すなわち
（３）容器状の本体、前記ブロアまたはコンプレッサーから排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（４）前記ブロアまたはコンプレッサーの吐出側から前記空気改質装置へ空気の流れを導く空気導入用導管部分と前記空気改質装置から前記攪拌装置へ空気の流れを導く空気導入用導管部分とからなる空気導入用導管、との組合せ、および
（５）前記ブロアまたはコンプレッサーの吐出側から前記攪拌装置へ直接空気の
流れを導く空気導入用導管、すなわち、前記（３）と（４）との組合せ、および前記（５）の空気導入用導管のうちのいずれか一方または双方、−ただし、前記（３）および（４）と組み合わせられない場合の前記（５）の空気導入用導管は、前記攪拌装置中に導入される空気の流れを二以上の流れとして前記攪拌装置中に放出させて、その二以上の流れのうちのいずれか二以上の流れが前記の放出後に互いに衝突するように設けられる空気導入用導管であり、−および
（６）前記空気導入用導管に設けられる、これらの導管を通る空気を加熱するための加熱装置、を具えていることを特徴とする、前記処理装置、
３．ゴミ、灰または土を処理するための装置であって、この装置が
（１）密閉される攪拌装置、
（２）ポンプ、
（３）水蒸気発生装置、
（４）前記水蒸気発生装置で生じた水蒸気を前記水蒸気発生装置から前記攪拌装置に導入するための水蒸気導入用導管、および下記（５）と（６）との組合せ、すなわち
（５）容器状の本体、前記ポンプから排出される二以上の水の流れが前記本体の内部で互いに衝突し合うように前記本体に対して設けられている給水口、または前記ポンプから排出される少なくとも一つの水の流れを螺旋状に流して前記本体の壁面または固形物に衝突させるように配置された給水口、および前記衝突により改質された水の流れを前記本体の外部に排出させるように前記本体に対して設けられている排水口を備えている水改質装置と、
（６）前記ポンプから排出される水を前記水改質装置に送るための給水用導管部分と前記水改質装置から排出される水を前記水蒸気発生装置に送るための給水用導管部分とからなる給水用導管、との組合せ、
（７）前記（２）のポンプから排出される水を前記水蒸気発生装置に直接送るための給水用導管、前記（５）と（６）と下記（８）と（９）と（１０）との組合せ、すなわち前記（５）の水改質装置と、前記（６）の給水用導管と、
（８）ブロアまたはコンプレッサーと、
（９）容器状の本体、前記ブロアまたはコンプレッサーから排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（１０）前記ブロアまたはコンプレッサーから排出される空気を前記空気改質装置に供給するための空気供給用導管部分と、前記空気改質装置から排出される改質空気を前記（６）の給水用導管に供給するための空気供給用導管部分とからなる空気供給用導管、との組合せ、および前記（７）と（８）と（９）と下記（１１）との組合せ、すなわち前記（７）の給水用導管と、前記（８）のブロアまたはコンプレッサーと、前記（９）の空気改質装置と、
（１１）前記ブロアまたはコンプレッサーから排出される空気を前記空気改質装置に供給するための空気供給用導管部分と、前記空気改質装置から排出される改質空気を前記（７）の給水用導管に供給するための空気供給用導管部分とからなる空気供給用導管、との組合せ、すなわち、前記（５）と（６）との組合せ、前記（７）の給水用導管、前記（５）と（６）と（８）と（９）と（１０）との組合せ、および前記（７）と（８）と（９）と（１１）との組合せのうちの少なくとも一つ、一ただし、これらのうち前記（７）の給水用導管だけが採用される場合には、前記（４）の水蒸気導入用導管は、前記攪拌装置中に導入される水蒸気の流れを二以上の流れとして前記攪拌装置中に放出させて、その二以上の流れのうちのいずれか二以上の流れが前記の放出後に互いに衝突するように設けられる水蒸気導入用導管である−、を具えていることを特徴とする、前記処理装置、
４．ゴミ、灰または土を処理するための装置であって、この装置が
（１）密閉される攪拌装置、
（２）ブロアまたはコンプレッサー、
（３）ポンプ、
（４）水蒸気発生装置、
（５）前記水蒸気発生装置で生じた水蒸気を前記水蒸気発生装置から前記攪拌装置に導入するための水蒸気導入用導管、下記（６）と（７）との組合せ、すなわち
（６）前記ブロアまたはコンプレッサーの吐出側から前記攪拌装置へ直接空気の流れを導く空気導入用導管と、
（７）前記（３）のポンプから排出される水を前記水蒸気発生装置に直接送るための給水用導管、との組合せ、−ただし、この場合、前記（５）の水蒸気導入用導管および前記（６）の空気導入用導管は、これらの導管から前記攪拌装置中に導入される二以上の流れが前記攪拌装置中に放出された後、その二以上の流れのうちのいずれか二以上の流れが互いに衝突するように設けられている水蒸気導入用導管および空気導入用導管であり−、前記（６）と下記（８）と（９）との組合せ、すなわち前記（６）の空気導入用導管と、
（８）容器状の本体、前記ポンプから排出される二以上の水の流れが前記本体の内部で互いに衝突し合うように前記本体に対して設けられている給水口、または前記ポンプから排出される少なくとも一つの水の流れを螺旋状に流して前記本体の壁面または固形物に衝突させるように配置された給水口、および前記衝突により改質された水の流れを前記本体の外部に排出させるように前記本体に対して設けられている排水口を備えている水改質装置と、
（９）前記ポンプから排出される水を前記水改質装置に送るための給水用導管部分と前記水改質装置から排出される水を前記水蒸気発生装置に送るための給水用導管部分とからなる給水用導管、との組合せ、前記（７）と下記（１０）と（１１）との組合せ、すなわち前記（７）の給水用導管と、
（１０）容器状の本体、前記ブロアまたはコンプレッサーから排出される二以上の空気の流れが前記本体の内部で互いに衝突し合うように前記本体に対して設けられている空気供給口、および前記衝突により改質された空気の流れを前記本体の外部に排出させるように前記本体に対して設けられている排気口を備えている空気改質装置と、
（１１）前記ブロアまたはコンプレッサーの吐出側から前記空気改質装置へ空気の流れを導く空気導入用導管部分と前記空気改質装置から前記攪拌装置へ空気の流れを導く空気導入用導管部分とからなる空気導入用導管、との組合せ、前記（８）と（９）と（１０）と（１１）との組合せ、すなわち前記（８）の水改質装置と、前記（９）の給水用導管と、前記（１０）の空気改質装置と、前記（１１）の空気導入用導管、との組合せ、および前記（８）と、（７）または（９）と、（１０）と、下記（１２）との組合せ、すなわち前記（８）の水改質装置と、前記（７）の給水用導管または前記（９）の給水用導管と、前記（１０）の空気改質装置と、
（１２）前記ブロアまたはコンプレッサーから排出される空気を前記空気改質装置に供給するための空気供給用導管部分と、前記空気改質装置から排出される改質空気を前記（５）の水蒸気導入用導管、前記（７）の給水用導管または前記（９）の給水用導管に供給するための空気供給用導管部分とからなる空気供給用導管、との組合せ、すなわち、前記（６）と（７）との組合せ、前記（６）と（８）と（９）との組合せ、前記（７）と（１０）と（１１）との組合せ、前記（８）と（９）と（１０）と（１１）との組合せ、および前記（８）と、（７）または（９）と、（１０）と、（１２）との組合せのうちの少なくとも一つ、および
（１３）前記空気導入用導管に設けられる、これらの導管を通る空気を加熱するための加熱装置、を具えていることを特徴とする、前記処理装置、および
５．容器状の本体、ポンプから排出される二以上の水の流れが前記本体の内部で互いに衝突し合うように前記本体に対して設けられている給水口、または前記ポンプから排出される少なくとも一つの水の流れを螺旋状に流して、前記本体の壁面または固形物に衝突させるように配置された給水口、および前記衝突により改質された水の流れを前記本体の外部に排出させるように前記本体に対して設けられている排水口を備えている水改質装置、に係わるものである。


【手続補正５】
【補正対象書類名】明細書
【補正対象項目名】〔０１０４〕
【補正方法】変更
【補正の内容】
【０１０４】
したがって、改質されていない空気の流れおよび改質されていない水蒸気の流れのいずれか一方または双方から選ばれる二以上の流れを攪拌装置に導入し、そしてこの攪拌装置中に放出される二以上の流れのうちのいずれか二以上の流れを互いに衝突させることによって、改質された空気または改質された水蒸気またはこの両者を攪拌装置内でその場で生じさせることができる。




【手続補正書】
【提出日】平成15年3月24日(2003.3.24)
【手続補正１】
【補正対象書類名】明細書
【補正対象項目名】請求項１４
【補正方法】変更
【補正の内容】
【請求項１４】
容器状の本体、ポンプから排出される二以上の水の流れが前記本体の内部で互いに衝突し合うように前記本体に対して設けられている給水口、または前記ポンプから排出される少なくとも一つの水の流れを螺旋状に流して、前記本体の壁面または固形物に衝突させるように配置された給水口、および前記衝突により改質された水の流れを前記本体の外部に排出させるように前記本体に対して設けられている排水口を備えていることを特徴とする、ゴミ、灰または土の処理方法に使用するための水改質装置。
【手続補正２】
【補正対象書類名】明細書
【補正対象項目名】０１３８
【補正方法】変更
【補正の内容】
【０１３８】
また、このような処理において、改質されていない水蒸気のみを導入し、そしてこの水蒸気の流れをこの攪拌装置内で二つに分けてその二つの流れが攪拌装置内で互いに衝突し合うようにこれらの流れを放出させると、草花の屑は１５分後に表面が土状の物質に変化し始め、１時間後には全体が土状の物質となった。ただし、この場合、ポンプの吸引側に１０ｍｍ程度の石を配置して、この石を吸引される水に接触させ、また、バガスを含む全体の容量に対して、１０容量％のバガスを上記草花の屑に加えて処理した。